(57)【要約】第１〜第３の電線のうち第３の電線が中性線である３線式の電力系統に連系する分散型発電システムであって、発電装置（１０５）と、第１〜３の電線（１０１ａ〜１０１ｃ）のうち、任意の２本の電線を内部電力負荷（１１１）と接続するように構成されている接続機構（１１０）と、第１の電線の電流値を検出する第１電流センサ（１０９ａ）と、第２の電線の電流値を検出する第２電流センサ（１０９ｂ）と、接続機構が任意の２本の電線を内部電力負荷と接続する前後における第１電流センサ及び第２電流センサが検知する電流値の変化量が、内部電力負荷の消費電力量に対応した変化量であるかどうかを判定することにより、第１電流センサ及び第２電流センサが配置されている電線及びその設置方向を判断する運転制御器（１１２）と、を備える。
2011093109.tif 000002
【特許請求の範囲】
【請求項１】
第１〜第３の電線のうち第３の電線が中性線である３線式の電力系統に連系する分散型発電システムであって、
前記分散型発電システムは、
発電装置と、
前記第１〜３の電線のうち、任意の２本の電線を内部電力負荷と接続するように構成されている接続機構と、
前記第１の電線の電流値を検出するように設定されている第１電流センサと、
前記第２の電線の電流値を検出するように設定されている第２電流センサと、
前記接続機構が前記任意の２本の電線を内部電力負荷と接続する前後における前記第１電流センサ及び前記第２電流センサが検知する電流値の変化量が、前記内部電力負荷の消費電力量に対応した変化量であるかどうかを判定することにより、前記第１電流センサ及び前記第２電流センサが配置されている電線及びその設置方向を判断するように構成されている制御器と、を備える、分散型発電システム。
【請求項２】
前記接続機構は、前記第１の電線と前記第３の電線を前記内部電力負荷に接続する第１接続器と前記第２の電線と前記第３の電線を前記内部電力負荷に接続する第２接続器を有している、請求項１に記載の分散型発電システム。
【請求項３】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量であり、かつ、前記第２接続器が前記第２の電線と前記第３の電線を前記内部電力負荷に接続する前後における前記第１電流センサが検出する電流値の変化量が、前記電力負荷の消費電力量に対応した変化量でない場合には、前記第１電流センサが前記第１の電線に配置されていると判断するように構成されている、請求項２に記載の分散型発電システム。
【請求項４】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第１の電線に正方向に配置されていると判断し、
その変化量が、負の方向である場合には、前記第１電流センサが前記第１の電線に逆方向に配置されていると判断するように構成されている、請求項３に記載の分散型発電システム。
【請求項５】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量でなく、かつ、前記第２接続器が前記第２の電線と前記第３の電線を前記内部電力負荷に接続する前後における前記第１電流センサが検出する電流値の変化量が、前記電力負荷の消費電力量に対応した変化量である場合には、前記第１電流センサが前記第２の電線に配置されていると判断するように構成されている、請求項２に記載の分散型発電システム。
【請求項６】
前記制御器は、前記第２接続器が前記第２の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第２の電線に正方向に配置されていると判断し、
その変化量が、負の方向である場合には、前記第１電流センサが前記第２の電線に逆方向に配置されていると判断するように構成されている、請求項５に記載の分散型発電システム。
【請求項７】
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量である場合には、前記第１電流センサが前記第３の電線に配置されていると判断するように構成されている、請求項２に記載の分散型発電システム。
【請求項８】
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量でない場合には、前記第１電流センサが異常であると判断するように構成されている、請求項２に記載の分散型発電システム。
【請求項９】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量でなく、かつ、前記第２接続器が前記第２の電線と前記第３の電線を前記内部電力負荷に接続する前後における前記第２電流センサが検出する電流値の変化量が、前記電力負荷の消費電力量に対応した変化量である場合には、前記第２電流センサが前記第２の電線に配置されていると判断するように構成されている、請求項２に記載の分散型発電システム。
【請求項１０】
前記制御器は、前記第２接続器が前記第２の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第２の電線に正方向に配置されていると判断し、
その変化量が、負の方向である場合には、前記第２電流センサが前記第２の電線に逆方向に配置されていると判断するように構成されている、請求項９に記載の分散型発電システム。
【請求項１１】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量であり、かつ、前記第２接続器が前記第２の電線と前記第３の電線を前記内部電力負荷に接続する前後における前記第２電流センサが検出する電流値の変化量が、前記電力負荷の消費電力量に対応した変化量でない場合には、前記第２電流センサが前記第１の電線に配置されていると判断するように構成されている、請求項２に記載の分散型発電システム。
【請求項１２】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第１の電線に正方向に配置されていると判断し、
その変化量が、負の方向である場合には、前記第２電流センサが前記第１の電線に逆方向に配置されていると判断するように構成されている、請求項１１に記載の分散型発電システム。
【請求項１３】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量である場合には、前記第２電流センサが前記第３の電線に配置されていると判断するように構成されている、請求項２に記載の分散型発電システム。
【請求項１４】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量でない場合には、前記第２電流センサが異常であると判断するように構成されている、請求項２に記載の分散型発電システム。
【請求項１５】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第１電流センサが検出する電流値の変化量が前記内部電力負荷の消費電力量に対応した変化量でない場合に、前記第１電流センサが前記第３の電線に配置されているか、又は前記第１電流センサ自体が異常であると判断するように構成されている、請求項１に記載の分散型発電システム。
【請求項１６】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第２電流センサが検出する電流値の変化量が前記内部電力負荷の消費電力量に対応した変化量でない場合に、前記第２電流センサが前記第３の電線に配置されているか、又は前記第２電流センサ自体が異常であると判断するように構成されている、請求項１に記載の分散型発電システム。
【請求項１７】
前記制御器を操作するための操作器をさらに備え、
前記制御器は、前記操作器の操作指令により、前記第１電流センサ及び前記第２電流センサが配置されている電線及びその設置方向の判断を開始するように構成されている、請求項１に記載の分散型発電システム。
【請求項１８】
前記制御器による前記第１電流センサ及び第２電流センサの判定の結果を表示する表示器をさらに備えている、請求項１に記載の分散型発電システム。
【発明の詳細な説明】
【技術分野】
【０００１】
本発明は、電力系統と連系して電力系統および家庭内交流負荷へ交流電力を供給する分散型発電システムに関するものである。
【背景技術】
【０００２】
従来のこの種の分散型発電システムとしては、例えば図９に示す構成のものがある（例えば、特許文献１参照）。以下、上記従来の分散型発電システムについて、図面を参照しながら説明する。図９は、特許文献１に開示されている分散型発電システムの概略構成を示すブロック図である。【０００３】
図９に示すように、従来の分散型発電システムは、自家発電装置１と、分電盤２と、Ｕ相、Ｏ相、Ｗ相から成る単相３線式の商用電力系統３と、演算記憶部７と、表示器１０とで構成される。ここで、自家発電装置１は、商用電力系統３と連系接続され、発電電力を逆潮流可能な交流電力として出力するものである。分電盤２は、分岐断路器４と、商用電力系統３と分岐断路器４との間にＵ相の電流を検出する電流センサＣＴａと、Ｗ相の電流を検出する電流センサＣＴｂを備える。【０００４】
演算記憶部７は、売電・買電電力の演算・記憶を行うものであり、電力演算部８ａ、電力演算部８ｂ、加算演算部１４、不揮発性メモリ１５、及び符号判定部１６を有している。電力演算部８ａは、電流センサＣＴｂからの電流検出信号６ｂを受信している。また、電力演算部８ａは、商用電力系統３の電圧を検出する電圧検出信号５が入力され、電流センサＣＴｂからの電流情報と電圧情報を基に電力演算を行なう。電力演算部８ｂは、電流センサＣＴａからの電流検出信号６ａを受信している。また、電力演算部８ｂは、商用電力系統３の電圧を検出する電圧検出信号５が入力され、電流センサＣＴｂからの電流情報と電圧情報を基に電力演算を行なう。加算演算部１４は、電力演算部８ａ，８ｂからの演算結果を受信する。不揮発性メモリ１５は、加算演算部１４と、電力演算部８ａ，８ｂの正負の符号を記憶する（本従来では、逆潮流の場合を負とする）。符号判定部１６は、自家発電装置１の運転状態及び停止状態を受信する。【０００５】
以上のように構成された従来の分散型発電システムは、分散型発電システムの施工後に、自家発電装置１が発電していないときは、逆潮流（売電）が行なわれることはあり得ないことを利用し、自家発電装置１から符号判定部１６に送られる発電情報が、通信データ無し状態（無発電状態）や、発電停止状態を知らせる信号であるときに、電流センサＣＴａ，ＣＴｂで検出した電流検出信号６（６ａ，６ｂ）を各電力演算手段８（８ａ，８ｂ）で演算させる。【０００６】
その各結果の絶対値が所定値以上（例として、０．１ｋＷ以上）である場合において、例えば電力演算部８ａの結果に負の符号がついている場合は、電流センサＣＴｂの逆方向取付けにおける電力演算部８ａの符号逆転が生じていると判断されるので、符号判定部１６の不揮発性メモリ１５に符号を反転させることが必要であることを記憶させる。そして、この場合以降は、電力演算部８ａから負の符号のデータが出力されると正の符号に、正の符号のデータが出力されると負の符号に変換するように、加算演算部１４に補正要請の信号を出力し、電流センサＣＴｂの逆方向取付けによる電流方向の符号逆転が正しく補正されるようになる。同様にして、電流センサＣＴａの逆方向取付けにおける電力演算部８ｂの符号逆転が生じた場合も対応可能である。
【先行技術文献】
【特許文献】
【０００７】
【特許文献１】特開２００４−２９７９５９号公報
【発明の概要】
【発明が解決しようとする課題】
【０００８】
しかしながら、上記従来の構成では、施工・メンテ作業において、２つの電流センサＣＴａ，ＣＴｂが、商用電力系統３と分散型発電システムの連系点において間違った相に取り付けられた場合や故障などが発生した場合に、正しく電流を計測することができず、表示器１０に誤った電力情報が表示されるという課題を有していた。また、上記のような場合に、自家発電装置１が発電している際に受電電力を基に行う発電量の決定や、逆潮流を防止する制御が正常にできないという課題を有していた。【０００９】
本発明は、上記従来の課題を解決するもので、簡単な構成で、電流センサが設置されている電線及びその設置方向を判断することができる分散型発電システムを提供することを目的とする。
【課題を解決するための手段】
【００１０】
上記目的を達成するために、本発明の分散型発電システムは、第１〜第３の電線のうち第３の電線が中性線である３線式の電力系統に連系する分散型発電システムであって、前記分散型発電システムは、発電装置と、前記第１〜３の電線のうち、任意の２本の電線を内部電力負荷と接続するように構成されている接続機構と、前記第１の電線の電流値を検出するように設定されている第１電流センサと、前記第２の電線の電流値を検出するように設定されている第２電流センサと、前記接続機構が前記任意の２本の電線を内部電力負荷と接続する前後における前記第１電流センサ及び前記第２電流センサが検知する電流値の変化量が、前記内部電力負荷の消費電力量に対応した変化量であるかどうかを判定することにより、前記第１電流センサ及び前記第２電流センサが配置されている電線及びその設置方向を判断するように構成されている制御器と、を備える。【００１１】
これにより、簡単な構成で、電流センサが設置されている電線及びその設置方向を判断することができる。【００１２】
本発明の上記目的、他の目的、特徴、及び利点は、添付図面参照の下、以下の好適な実施形態の詳細な説明から明らかにされる。
【発明の効果】
【００１３】
本発明の分散型発電システムによれば、簡単な構成で、電流センサが設置されている電線及びその設置方向を判断することが可能となる。
【図面の簡単な説明】
【００１４】
【図１】図１は、本発明の実施の形態１に係る分散型発電システムの概略構成を模式的に示すブロック図である。
【図２（Ａ）】図２（Ａ）は、本実施の形態１に係る分散型発電システムにおける第１電流センサ及び第２電流センサの設置状態の確認動作を模式的に示すフローチャートである。
【図２（Ｂ）】図２（Ｂ）は、本実施の形態１に係る分散型発電システムにおける第１電流センサ及び第２電流センサの設置状態の確認動作を模式的に示すフローチャートである。
【図３（Ａ）】図３（Ａ）、図３（Ｂ）、及び図３（Ｃ）は、本実施の形態１に係る分散型発電システムにおける第１電流センサ及び第２電流センサの設置状態の確認動作を模式的に示すフローチャートである。
【図３（Ｂ）】図３（Ａ）、図３（Ｂ）、及び図３（Ｃ）は、本実施の形態１に係る分散型発電システムにおける第１電流センサ及び第２電流センサの設置状態の確認動作を模式的に示すフローチャートである。
【図３（Ｃ）】図３（Ａ）、図３（Ｂ）、及び図３（Ｃ）は、本実施の形態１に係る分散型発電システムにおける第１電流センサ及び第２電流センサの設置状態の確認動作を模式的に示すフローチャートである。
【図４（Ａ）】図４（Ａ）は、本変形例１の分散型発電システムにおける第１電流センサの設置状態の確認動作を模式的に示すフローチャートである。
【図４（Ｂ）】図４（Ｂ）は、本変形例１の分散型発電システムにおける第１電流センサの設置状態の確認動作を模式的に示すフローチャートである。
【図４（Ｃ）】図４（Ｃ）は、本変形例１の分散型発電システムにおける第１電流センサの設置状態の確認動作を模式的に示すフローチャートである。
【図５（Ａ）】図５（Ａ）は、本変形例１の分散型発電システムにおける第２電流センサの設置状態の確認動作を模式的に示すフローチャートである。
【図５（Ｂ）】図５（Ｂ）は、本変形例１の分散型発電システムにおける第２電流センサの設置状態の確認動作を模式的に示すフローチャートである。
【図５（Ｃ）】図５（Ｃ）は、本変形例１の分散型発電システムにおける第２電流センサの設置状態の確認動作を模式的に示すフローチャートである。
【図６】図６は、本発明の実施の形態２に係る分散型発電システムの概略構成を模式的に示すブロック図である。
【図７】図７は、本発明の実施の形態２に係る分散型発電システムにおける第１電流センサの設置状態の確認動作を模式的に示すフローチャートである。
【図８】図８は、本実施の形態２の変形例の分散型発電システムにおける第２電流センサの設置状態の確認動作を模式的に示すフローチャートである。
【図９】図９は、特許文献１に開示されている分散型発電システムの概略構成を示すブロック図である。
【発明を実施するための形態】
【００１５】
以下、本発明の好ましい実施の形態を、図面を参照しながら説明する。なお、全ての図面において、同一又は相当部分には同一符号を付し、重複する説明は省略する。また、全ての図面において、本発明を説明するために必要となる構成要素のみを抜粋して図示しており、その他の構成要素については図示を省略している。さらに、本発明は以下の実施の形態に限定されない。
【００１６】
（実施の形態１）
本発明の実施の形態１に係る分散型発電システムは、第１から第３の電線のうち第３の電線が中性線である３線式の電力系統に連系する分散型発電システムであって、分散型発電システムは、発電装置と、第１〜３の電線のうち、任意の２本の電線を内部電力負荷と接続するように構成されている接続機構と、第１の電線の電流値を検出するように設定されている第１電流センサと、第２の電線の電流値を検出するように設定されている第２電流センサと、接続機構が任意の２本の電線を内部電力負荷と接続する前後における第１電流センサ及び第２電流センサが検知する電流値の変化量が、内部電力負荷の消費電力量に対応した変化量であるかどうかを判定することにより、第１電流センサ及び第２電流センサが配置されている電線及びその設置方向を判断するように構成されている制御器と、を備える態様を例示するものである。
【００１７】
ここで、「電流センサが検知する電流値」は、電線を流れる電流の大きさ（量）だけでなく、その流れる向きも含む。このため、「電流値の変化量」は、電流値の変化の大きさ（量）だけでなく、その変化の方向も含まれる。
【００１８】
また、本実施の形態１に係る分散型発電システムでは、接続機構が、第１の電線と第３の電線を内部電力負荷に接続する第１接続器と第２の電線と第３の電線を内部電力負荷に接続する第２接続器を有していてもよい。
【００１９】
また、本実施の形態１に係る分散型発電システムでは、制御器は、第１接続器が第１の電線と第３の電線を内部電力負荷に接続する前後における第１電流センサが検出する電流値の変化量が、電力負荷の消費電力量に対応した変化量であり、かつ、第２接続器が第２の電線と第３の電線を内部電力負荷に接続する前後における第１電流センサが検出する電流値の変化量が、電力負荷の消費電力量に対応した変化量でない場合には、第１電流センサが第１の電線に配置されていると判断するように構成されていてもよい。
【００２０】
また、本実施の形態１に係る分散型発電システムでは、制御器は、第１接続器が第１の電線と第３の電線を内部電力負荷に接続する前後における第１電流センサが検出する電流値の変化量が、電力負荷の消費電力量に対応した変化量である場合であって、その変化量が、正の方向である場合には、第１電流センサが第１の電線に正方向に配置されていると判断し、その変化量が、負の方向である場合には、第１電流センサが第１の電線に逆方向に配置されていると判断するように構成されていてもよい。
【００２１】
ここで、「第１電流センサが第１の電線に正方向に配置されている」とは、第１電流センサが、第１の電線に本来設置されるべき方向に配置されていることをいう。また、「第１電流センサが第１の電線に逆方向に配置されている」とは、第１電流センサが、第１の電線に本来設置されるべき方向とは反対方向に配置されていることをいう。
【００２２】
また、本実施の形態１に係る分散型発電システムでは、制御器は、第１接続器が第１の電線と第３の電線を内部電力負荷に接続する前後における第１電流センサが検出する電流値の変化量が、電力負荷の消費電力量に対応した変化量でなく、かつ、第２接続器が第２の電線と第３の電線を内部電力負荷に接続する前後における第１電流センサが検出する電流値の変化量が、電力負荷の消費電力量に対応した変化量である場合には、第１電流センサが第２の電線に配置されていると判断するように構成されていてもよい。
【００２３】
また、本実施の形態１に係る分散型発電システムでは、制御器は、第２接続器が第２の電線と第３の電線を内部電力負荷に接続する前後における第１電流センサが検出する電流値の変化量が、電力負荷の消費電力量に対応した変化量である場合であって、その変化量が、正の方向である場合には、第１電流センサが第２の電線に正方向に配置されていると判断し、その変化量が、負の方向である場合には、第１電流センサが第２の電線に逆方向に配置されていると判断するように構成されていてもよい。
【００２４】
ここで、「第１電流センサが第２の電線に正方向に配置されている」とは、第１電流センサが、第２の電線に本来設置されるべき方向に配置されていることをいう。また、「第１電流センサが第２の電線に逆方向に配置されている」とは、第１電流センサが、第２の電線に本来設置されるべき方向とは反対方向に配置されていることをいう。
【００２５】
また、本実施の形態１に係る分散型発電システムでは、制御器は、第１接続器が第１の電線と第３の電線を内部電力負荷に接続する前後における第１電流センサが検出する電流値の変化量と、第２接続器が第２の電線と第３の電線を内部電力負荷に接続する前後における第１電流センサが検出する電流値の変化量と、の両方の変化量が、電力負荷の消費電力量に対応した変化量である場合には、第１電流センサが第３の電線に配置されていると判断するように構成されていてもよい。
【００２６】
また、本実施の形態１に係る分散型発電システムでは、制御器は、第１接続器が第１の電線と第３の電線を内部電力負荷に接続する前後における第１電流センサが検出する電流値の変化量と、第２接続器が第２の電線と第３の電線を内部電力負荷に接続する前後における第１電流センサが検出する電流値の変化量と、の両方の変化量が、電力負荷の消費電力量に対応した変化量でない場合には、第１電流センサが異常であると判断するように構成されていてもよい。
【００２７】
ここで、「第１電流センサが異常である」とは、第１電流センサが故障している場合だけでなく、第１電流センサが電線から外れている場合も含む。
【００２８】
また、本実施の形態１に係る分散型発電システムでは、制御器は、第１接続器が第１の電線と第３の電線を内部電力負荷に接続する前後における第２電流センサが検出する電流値の変化量が、電力負荷の消費電力量に対応した変化量でなく、かつ、第２接続器が第２の電線と第３の電線を内部電力負荷に接続する前後における第２電流センサが検出する電流値の変化量が、電力負荷の消費電力量に対応した変化量である場合には、第２電流センサが第２の電線に配置されていると判断するように構成されていてもよい。
【００２９】
また、本実施の形態１に係る分散型発電システムでは、制御器は、第２接続器が第２の電線と第３の電線を内部電力負荷に接続する前後における第２電流センサが検出する電流値の変化量が、電力負荷の消費電力量に対応した変化量である場合であって、その変化量が、正の方向である場合には、第２電流センサが第２の電線に正方向に配置されていると判断し、その変化量が、負の方向である場合には、第２電流センサが第２の電線に逆方向に配置されていると判断するように構成されていてもよい。
【００３０】
ここで、「第２電流センサが第２の電線に正方向に配置されている」とは、第２電流センサが、第２の電線に本来設置されるべき方向に配置されていることをいう。また、「第２電流センサが第２の電線に逆方向に配置されている」とは、第２電流センサが、第２の電線に本来設置されるべき方向とは反対方向に配置されていることをいう。
【００３１】
また、本実施の形態１に係る分散型発電システムでは、制御器は、第１接続器が第１の電線と第３の電線を内部電力負荷に接続する前後における第２電流センサが検出する電流値の変化量が、電力負荷の消費電力量に対応した変化量であり、かつ、第２接続器が第２の電線と第３の電線を内部電力負荷に接続する前後における第２電流センサが検出する電流値の変化量が、電力負荷の消費電力量に対応した変化量でない場合には、第２電流センサが第１の電線に配置されていると判断するように構成されていてもよい。
【００３２】
また、本実施の形態１に係る分散型発電システムでは、制御器は、第１接続器が第１の電線と第３の電線を内部電力負荷に接続する前後における第２電流センサが検出する電流値の変化量が、電力負荷の消費電力量に対応した変化量である場合であって、その変化量が、正の方向である場合には、第２電流センサが第１の電線に正方向に配置されていると判断し、その変化量が、負の方向である場合には、第２電流センサが第１の電線に逆方向に配置されていると判断するように構成されていてもよい。
【００３３】
ここで、「第２電流センサが第１の電線に正方向に配置されている」とは、第２電流センサが、第１の電線に本来設置されるべき方向に配置されていることをいう。また、「第２電流センサが第１の電線に逆方向に配置されている」とは、第２電流センサが、第１の電線に本来設置されるべき方向とは反対方向に配置されていることをいう。
【００３４】
また、本実施の形態１に係る分散型発電システムでは、制御器は、第１接続器が第１の電線と第３の電線を内部電力負荷に接続する前後における第２電流センサが検出する電流値の変化量と、第２接続器が第２の電線と第３の電線を内部電力負荷に接続する前後における第２電流センサが検出する電流値の変化量と、の両方の変化量が、電力負荷の消費電力量に対応した変化量である場合には、第２電流センサが第３の電線に配置されていると判断するように構成されていてもよい。
【００３５】
また、本実施の形態１に係る分散型発電システムでは、制御器は、第１接続器が第１の電線と第３の電線を内部電力負荷に接続する前後における第２電流センサが検出する電流値の変化量と、第２接続器が第２の電線と第３の電線を内部電力負荷に接続する前後における第２電流センサが検出する電流値の変化量と、の両方の変化量が、電力負荷の消費電力量に対応した変化量でない場合には、第２電流センサが異常であると判断するように構成されていてもよい。
【００３６】
ここで、「第２電流センサが異常である」とは、第２電流センサが故障している場合だけでなく、第２電流センサが電線から外れている場合も含む。
【００３７】
また、本実施の形態１に係る分散型発電システムでは、制御器を操作するための操作器をさらに備え、制御器が、操作器の操作指令により、第１電流センサ及び第２電流センサが配置されている電線及びその設置方向の判断を開始するように構成されていてもよい。
【００３８】
さらに、本実施の形態１に係る分散型発電システムでは、制御器による第１電流センサ及び第２電流センサの判定の結果を表示する表示器をさらに備えていてもよい。
【００３９】
［分散型発電システムの構成］
まず、本発明の実施の形態１に係る分散型発電システムの構成について、図１を参照しながら説明する。
【００４０】
図１は、本発明の実施の形態１に係る分散型発電システムの概略構成を模式的に示すブロック図である。
【００４１】
図１には、電力系統１０１と、分散型発電システム１０２と、家庭内負荷１０４を図示している。ここで、電力系統１０１は、第１の電線１０１ａ、第２の電線１０１ｂ、第３の電線１０１ｃから成る単相３線式の交流電源である。電力系統１０１と分散型発電システム１０２は、連系点１０３で連系している。
【００４２】
家庭内負荷１０４は、一般家庭で使用されるテレビ、エアコン等などで、電力系統１０１または分散型発電システム１０２から供給される交流電力を消費する機器である。なお、以下では、第１の電線１０１ａをＵ相１０１ａ、第２の電線１０１ｂをＷ相１０１ｂ、第３の電線１０１ｃを中性線であるＯ相１０１ｃと記して説明する。
【００４３】
そして、分散型発電システム１０２は、発電装置１０５と、直流交流電力変換器１０６と、連系リレー１０７と、電圧検出器１０８と、第１電流センサ１０９ａと、第２電流センサ１０９ｂと、接続機構１１０と、内部電力負荷１１１と、運転制御器（制御器）１１２と、操作器１１３と、表示器１１４から少なくとも構成される。
【００４４】
ここで、発電装置１０５は、燃料電池などで構成され直流電力を生成する。直流交流電力変換器１０６は、絶縁トランスを含む構成を有し、発電装置１０５が生成する直流電圧を変圧した後、家庭内負荷１０４で消費可能な交流電力へ変換する。連系リレー１０７は、開閉することで分散型発電システム１０２を電力系統１０１と連系／解列させるように構成されている。
【００４５】
電圧検出器１０８は、電力系統１０１のＵ相１０１ａ−Ｏ相１０１ｃ間、Ｗ相１０１ｂ−Ｏ相１０１ｃ間の電圧を検出するように構成されていれば、どのような形態であってもよい。また、第１電流センサ１０９ａ及び第２電流センサ１０９ｂは、電力系統１０１の電線に取付けられ、取付けられた位置に流れる電流の大きさおよび正負の方向を検出するように構成されている。第１電流センサ１０９ａ及び第２電流センサ１０９ｂとしては、カレントトランスなどを使用することができる。なお、本実施の形態１では、第１電流センサ１０９ａをＵ相１０１ａの連系点１０３、第２電流センサ１０９ｂは、Ｗ相１０１ｂの連系点１０３に取付けられるように設定されている。
【００４６】
内部電力負荷１１１はヒータなどの比較的電力消費量の大きい機器で、構成されている。内部電力負荷１１１は、接続機構１１０を介して電力系統１０１のＵ相１０１ａ−Ｏ相１０１ｃ間、またはＷ相１０１ｂ−Ｏ相１０１ｃ間と接続されるように構成されている。そして、内部電力負荷１１１は、接続機構１１０により電力系統１０１と接続されて電力を消費する。
【００４７】
接続機構１１０は、本実施の形態１においては、第１接続器１１０ａと第２接続器１１０ｂを有している。第１接続器１１０ａは、ＯＮ状態のときに、電力系統１０１のＵ相１０１ａ−Ｏ相１０１ｃ間に内部電力負荷１１１を接続し、第２接続器１１０ｂは、ＯＮ状態のときに、電力系統１０１のＷ相１０１ｂ−Ｏ相１０１ｃ間に内部電力負荷１１１を接続するように構成されている。そして、接続機構１１０は、運転制御器１１２からの指令を基に第１接続器１１０ａ及び第２接続器１１０ｂのいずれか１つをＯＮにすることで内部電力負荷１１１への電力を供給可能とする。
【００４８】
運転制御器１１２は、分散型発電システム１０２を構成する各機器を制御する機器であれば、どのような形態であってもよく、例えば、マイクロプロセッサ、ＣＰＵ等に例示される演算処理部と、各制御動作を実行するためのプログラムを格納した、不揮発性メモリ等から構成される記憶部を備えている。そして、運転制御器１１２は、演算処理部が、記憶部に格納された所定の制御プログラムを読み出し、これを実行することにより、これらの情報を処理し、かつ、これらの制御を含む分散型発電システム１０２に関する各種の制御を行う。
【００４９】
具体的には、運転制御器１１２は、電圧検出器１０８で検出される電圧値と第１電流センサ１０９ａ及び／又は第２電流センサ１０９ｂで検出される電流値の積より算出される電力値を基に、発電装置１０５や直流交流電力変換器１０６の出力、および連系リレー１０７や接続機構１１０のＯＮ／ＯＦＦを制御する。また、運転制御器１１２は、接続機構１１０を用いて内部電力負荷１１１の電力系統１０１への接続をＵ相１０１ａ−Ｏ相１０１ｃ間、またはＷ相１０１ｂ−Ｏ相１０１ｃ間で切り替えることで、第１電流センサ１０９ａ及び第２電流センサ１０９ｂの故障、断線、外れ状態などの異常や取付け方向、取付け位置の判断を行う。
【００５０】
なお、運転制御器１１２は、単独の制御器で構成される形態だけでなく、複数の制御器が協働して、分散型発電システム１０２の制御を実行する制御器群で構成される形態であっても構わない。また、運転制御器１１２は、マイクロコントローラで構成されていてもよく、ＭＰＵ、ＰＬＣ(ｐｒｏｇｒａｍｍａｂｌｅ  ｌｏｇｉｃ  ｃｏｎｔｒｏｌｌｅｒ)、論理回路等によって構成されていてもよい。
【００５１】
操作器１１３は、施工・メンテナンス作業者が分散型発電システム１０２に関して、所定の操作を行なうことができるように構成されている。操作器１１３としては、タクトスイッチやメンブレンスイッチなどを用いることができる。表示器１１４は、分散型発電システム１０２のエラー表示や動作情報などの表示を行うように構成されている。表示器１１４としては、ＬＣＤや７セグメントＬＥＤなどを用いることができる。
【００５２】
［分散型発電システムの動作］
次に、本実施の形態１に係る分散型発電システム１０２の動作について説明する。
【００５３】
まず、接続機構１１０が内部電力負荷１１１と電力系統１０１を接続する前後における第１電流センサ１０９ａ又は第２電流センサ１０９ｂが検知する電流値の変化量と、第１電流センサ１０９ａ又は第２電流センサ１０９ｂが配置されている電線及びその設置方向と、の関係について、説明する。
【００５４】
（１）第１電流センサ１０９ａがＵ相１０１ａに正しい方向に配置されている場合
図１に示すように、第１電流センサ１０９ａがＵ相１０１ａに正しい方向に配置されている場合、内部電力負荷１１１を電力系統１０１の第１の電線（Ｕ相）１０１ａ−第３の電線（Ｏ相）１０１ｃ間に接続する前後では、第１電流センサ１０９ａが検知する電流値の変化量は、内部電力負荷１１１の消費電力量に対応した変化量となる。具体的には、第１電流センサ１０９ａが検知する電流値の変化量は、プラス側に大きく変化する。
【００５５】
一方、内部電力負荷１１１を電力系統１０１の第２の電線（Ｗ相）１０１ｂ−第３の電線（Ｏ相）１０１ｃ間に接続する前後では、第１電流センサ１０９ａが検知する電流値の変化量は、所定の範囲内となる。すなわち、第１電流センサ１０９ａが検知する電流値の変化量は、ほとんど変化しない。
【００５６】
したがって、運転制御器１１２は、内部電力負荷１１１を電力系統１０１の第１の電線（Ｕ相）１０１ａ−第３の電線（Ｏ相）１０１ｃ間に接続する前後において、第１電流センサ１０９ａが検知する電流値の変化量が、所定の範囲からプラス側に外れた値となり、かつ、内部電力負荷１１１を電力系統１０１の第２の電線（Ｗ相）１０１ｂ−第３の電線（Ｏ相）１０１ｃ間に接続する前後において、第１電流センサ１０９ａが検知する電流値の変化量が、所定の範囲内となった場合には、第１電流センサ１０９ａが、Ｕ相１０１ａに正しい方向に配置されていると判断することができる。
【００５７】
（２）第１電流センサ１０９ａがＵ相１０１ａに逆方向に配置されている場合
図１において、第１電流センサ１０９ａがＵ相１０１ａに逆方向に配置されている場合、内部電力負荷１１１を電力系統１０１の第１の電線（Ｕ相）１０１ａ−第３の電線（Ｏ相）１０１ｃ間に接続する前後では、第１電流センサ１０９ａが検知する電流値の変化量は、内部電力負荷１１１の消費電力量に対応した変化量となるが、その変化の方向がマイナスとなる。すなわち、第１電流センサ１０９ａが検知する電流値の変化量は、マイナス側に大きく変化する。
【００５８】
一方、内部電力負荷１１１を電力系統１０１の第２の電線（Ｗ相）１０１ｂ−第３の電線（Ｏ相）１０１ｃ間に接続する前後では、第１電流センサ１０９ａが検知する電流値の変化量は、所定の範囲内となる。具体的には、第１電流センサ１０９ａが検知する電流値の変化量は、ほとんど変化しない。
【００５９】
したがって、運転制御器１１２は、内部電力負荷１１１を電力系統１０１の第１の電線（Ｕ相）１０１ａ−第３の電線（Ｏ相）１０１ｃ間に接続する前後において、第１電流センサ１０９ａが検知する電流値の変化量が、所定の範囲からマイナス側に外れた値となり、かつ、内部電力負荷１１１を電力系統１０１の第２の電線（Ｗ相）１０１ｂ−第３の電線（Ｏ相）１０１ｃ間に接続する前後において、第１電流センサ１０９ａが検知する電流値の変化量が、所定の範囲内となった場合には、第１電流センサ１０９ａが、Ｕ相１０１ａに逆方向に配置されていると判断することができる。
【００６０】
（３）第１電流センサ１０９ａがＷ相１０１ｂに配置されている場合
図１において、第１電流センサ１０９ａがＷ相１０１ｂに配置されている場合、内部電力負荷１１１を電力系統１０１の第１の電線（Ｕ相）１０１ａ−第３の電線（Ｏ相）１０１ｃ間に接続する前後では、第１電流センサ１０９ａが検知する電流値の変化量は、所定の範囲内となる。
【００６１】
一方、内部電力負荷１１１を電力系統１０１の第２の電線（Ｗ相）１０１ｂ−第３の電線（Ｏ相）１０１ｃ間に接続する前後では、第１電流センサ１０９ａが検知する電流値の変化量は、所定の範囲から外れた値となる。
【００６２】
したがって、運転制御器１１２は、内部電力負荷１１１を電力系統１０１の第１の電線（Ｕ相）１０１ａ−第３の電線（Ｏ相）１０１ｃ間に接続する前後において、第１電流センサ１０９ａが検知する電流値の変化量が、所定の範囲となり、かつ、内部電力負荷１１１を電力系統１０１の第２の電線（Ｗ相）１０１ｂ−第３の電線（Ｏ相）１０１ｃ間に接続する前後において、第１電流センサ１０９ａが検知する電流値の変化量が、所定の範囲から外れた場合には、第１電流センサ１０９ａが、Ｗ相１０１ｂに配置されていると判断することができる。
【００６３】
このとき、運転制御器１１２は、第１電流センサ１０９ａが検知する電流値の変化量が、所定の範囲からプラス側に外れた場合には、第１電流センサ１０９ａは、Ｗ相１０１ｂに正方向で配置されていると判断することができる。また、運転制御器１１２は、第１電流センサ１０９ａが検知する電流値の変化量が、所定の範囲からマイナス側に外れた場合には、第１電流センサ１０９ａは、Ｗ相１０１ｂに逆方向で配置されていると判断することができる。
【００６４】
（４）第１電流センサ１０９ａがＯ相１０１ｃに配置されている場合
図１において、第１電流センサ１０９ａがＯ相１０１ｃに配置されている場合、内部電力負荷１１１を電力系統１０１の第１の電線（Ｕ相）１０１ａ−第３の電線（Ｏ相）１０１ｃ間に接続する前後では、第１電流センサ１０９ａが検知する電流値の変化量は、所定の範囲から外れた値となる。
【００６５】
また、内部電力負荷１１１を電力系統１０１の第２の電線（Ｗ相）１０１ｂ−第３の電線（Ｏ相）１０１ｃ間に接続する前後においても、第１電流センサ１０９ａが検知する電流値の変化量は、所定の範囲から外れた値となる。
【００６６】
したがって、運転制御器１１２は、内部電力負荷１１１を電力系統１０１の第１の電線（Ｕ相）１０１ａ−第３の電線（Ｏ相）１０１ｃ間に接続する前後において、第１電流センサ１０９ａが検知する電流値の変化量が、所定の範囲から外れ、かつ、内部電力負荷１１１を電力系統１０１の第２の電線（Ｗ相）１０１ｂ−第３の電線（Ｏ相）１０１ｃ間に接続する前後において、第１電流センサ１０９ａが検知する電流値の変化量が、所定の範囲から外れた場合には、第１電流センサ１０９ａが、Ｏ相１０１ｃに配置されていると判断することができる。
【００６７】
（５）第２電流センサ１０９ｂがＷ相１０１ｂに正しい方向に配置されている場合
図１に示すように、第２電流センサ１０９ｂがＷ相１０１ｂに正しい方向に配置されている場合、内部電力負荷１１１を電力系統１０１の第２の電線（Ｗ相）１０１ｂ−第３の電線（Ｏ相）１０１ｃ間に接続する前後では、第２電流センサ１０９ｂが検知する電流値の変化量は、内部電力負荷１１１の消費電力量に対応した変化量となる。具体的には、第２電流センサ１０９ｂが検知する電流値の変化量は、プラス側に大きく変化する。
【００６８】
一方、内部電力負荷１１１を電力系統１０１の第１の電線（Ｕ相）１０１ａ−第３の電線（Ｏ相）１０１ｃ間に接続する前後では、第２電流センサ１０９ｂが検知する電流値の変化量は、所定の範囲内となる。すなわち、第２電流センサ１０９ｂが検知する電流値の変化量は、ほとんど変化しない。
【００６９】
したがって、運転制御器１１２は、内部電力負荷１１１を電力系統１０１の第２の電線（Ｗ相）１０１ｂ−第３の電線（Ｏ相）１０１ｃ間に接続する前後において、第２電流センサ１０９ｂが検知する電流値の変化量が、所定の範囲からプラス側に外れた値となり、かつ、内部電力負荷１１１を電力系統１０１の第１の電線（Ｕ相）１０１ａ−第３の電線（Ｏ相）１０１ｃ間に接続する前後において、第２電流センサ１０９ｂが検知する電流値の変化量が、所定の範囲内となった場合には、第２電流センサ１０９ｂが、Ｗ相１０１ｂに正しい方向に配置されていると判断することができる。
【００７０】
（６）第２電流センサ１０９ｂがＷ相１０１ｂに逆方向に配置されている場合
図１において、第２電流センサ１０９ｂがＷ相１０１ｂに逆方向に配置されている場合、内部電力負荷１１１を電力系統１０１の第２の電線（Ｗ相）１０１ｂ−第３の電線（Ｏ相）１０１ｃ間に接続する前後では、第２電流センサ１０９ｂが検知する電流値の変化量は、内部電力負荷１１１の消費電力量に対応した変化量となるが、その変化の方向がマイナスとなる。具体的には、第２電流センサ１０９ｂが検知する電流値の変化量は、マイナス側に大きく変化する。
【００７１】
一方、内部電力負荷１１１を電力系統１０１の第１の電線（Ｕ相）１０１ａ−第３の電線（Ｏ相）１０１ｃ間に接続する前後では、第２電流センサ１０９ｂが検知する電流値の変化量は、所定の範囲内となる。すなわち、第２電流センサ１０９ｂが検知する電流値の変化量は、ほとんど変化しない。
【００７２】
したがって、運転制御器１１２は、内部電力負荷１１１を電力系統１０１の第２の電線（Ｗ相）１０１ｂ−第３の電線（Ｏ相）１０１ｃ間に接続する前後において、第２電流センサ１０９ｂが検知する電流値の変化量が、所定の範囲からマイナス側に外れた値となり、かつ、内部電力負荷１１１を電力系統１０１の第１の電線（Ｕ相）１０１ａ−第３の電線（Ｏ相）１０１ｃ間に接続する前後において、第２電流センサ１０９ｂが検知する電流値の変化量が、所定の範囲内となった場合には、第２電流センサ１０９ｂが、Ｗ相１０１ｂに逆方向に配置されていると判断することができる。
【００７３】
（７）第２電流センサ１０９ｂがＵ相１０１ａに配置されている場合
図１において、第２電流センサ１０９ｂがＵ相１０１ａに配置されている場合、内部電力負荷１１１を電力系統１０１の第２の電線（Ｗ相）１０１ｂ−第３の電線（Ｏ相）１０１ｃ間に接続する前後では、第２電流センサ１０９ｂが検知する電流値の変化量は、所定の範囲内となる。
【００７４】
一方、内部電力負荷１１１を電力系統１０１の第１の電線（Ｕ相）１０１ａ−第３の電線（Ｏ相）１０１ｃ間に接続する前後では、第２電流センサ１０９ｂが検知する電流値の変化量は、所定の範囲から外れた値となる。
【００７５】
したがって、運転制御器１１２は、内部電力負荷１１１を電力系統１０１の第２の電線（Ｗ相）１０１ｂ−第３の電線（Ｏ相）１０１ｃ間に接続する前後において、第２電流センサ１０９ｂが検知する電流値の変化量が、所定の範囲となり、かつ、内部電力負荷１１１を電力系統１０１の第１の電線（Ｕ相）１０１ａ−第３の電線（Ｏ相）１０１ｃ間に接続する前後において、第２電流センサ１０９ｂが検知する電流値の変化量が、所定の範囲から外れた場合には、第２電流センサ１０９ｂが、Ｕ相１０１ａに配置されていると判断することができる。
【００７６】
このとき、運転制御器１１２は、第２電流センサ１０９ｂが検知する電流値の変化量が、所定の範囲からプラス側に外れた場合には、第２電流センサ１０９ｂは、Ｕ相１０１ａに正方向で配置されていると判断することができる。また、運転制御器１１２は、第２電流センサ１０９ｂが検知する電流値の変化量が、所定の範囲からマイナス側に外れた場合には、第２電流センサ１０９ｂは、Ｕ相１０１ａに逆方向で配置されていると判断することができる。
【００７７】
（８）第２電流センサ１０９ｂがＯ相１０１ｃに配置されている場合
図１において、第２電流センサ１０９ｂがＯ相１０１ｃに配置されている場合、内部電力負荷１１１を電力系統１０１の第１の電線（Ｕ相）１０１ａ−第３の電線（Ｏ相）１０１ｃ間に接続する前後では、第２電流センサ１０９ｂが検知する電流値の変化量は、所定の範囲から外れた値となる。
【００７８】
また、内部電力負荷１１１を電力系統１０１の第２の電線（Ｗ相）１０１ｂ−第３の電線（Ｏ相）１０１ｃ間に接続する前後においても、第２電流センサ１０９ｂが検知する電流値の変化量は、所定の範囲から外れた値となる。
【００７９】
したがって、運転制御器１１２は、内部電力負荷１１１を電力系統１０１の第１の電線（Ｕ相）１０１ａ−第３の電線（Ｏ相）１０１ｃ間に接続する前後において、第２電流センサ１０９ｂが検知する電流値の変化量が、所定の範囲から外れ、かつ、内部電力負荷１１１を電力系統１０１の第２の電線（Ｗ相）１０１ｂ−第３の電線（Ｏ相）１０１ｃ間に接続する前後において、第２電流センサ１０９ｂが検知する電流値の変化量が、所定の範囲から外れた場合には、第２電流センサ１０９ｂが、Ｏ相１０１ｃに配置されていると判断することができる。
【００８０】
（９）その他
ところで、内部電力負荷１１１を電力系統１０１の第１の電線（Ｕ相）１０１ａ−第３の電線（Ｏ相）１０１ｃ間に接続する前後においても、第２の電線（Ｗ相）１０１ｂ−第３の電線（Ｏ相）１０１ｃ間に接続する前後においても、第１電流センサ１０９ａ又は第２電流センサ１０９ｂが検知する電流値の変化量は、所定の範囲になった場合には、第１電流センサ１０９ａ又は第２電流センサ１０９ｂが、電線から外れているか、又は故障していると考えることができる。
【００８１】
したがって、運転制御器１１２は、内部電力負荷１１１を電力系統１０１の第１の電線（Ｕ相）１０１ａ−第３の電線（Ｏ相）１０１ｃ間に接続する前後においても、第２の電線（Ｗ相）１０１ｂ−第３の電線（Ｏ相）１０１ｃ間に接続する前後においても、第１電流センサ１０９ａ又は第２電流センサ１０９ｂが検知する電流値の変化量は、所定の範囲になった場合には、第１電流センサ１０９ａ又は第２電流センサ１０９ｂが、異常であると判断することができる。
【００８２】
［電流センサの設置状態確認動作］
次に、本実施の形態１に係る分散型発電システム１０２の第１電流センサ１０９ａ及び第２電流センサ１０９ｂの設置状態の確認動作について説明する。
【００８３】
まず、施工・メンテナンス作業者は、分散型発電システム１０２の施工・メンテナンス時に第１電流センサ１０９ａをＵ相１０１ａの連系点１０３、第２電流センサ１０９ｂをＷ相１０１ｂの連系点１０３に取り付けることになっている。そして、施工・メンテナンス作業者は、運転制御器１１２に出力信号線を接続する。このあと、これらの施工・メンテナンスによる第１電流センサ１０９ａ、第２電流センサ１０９ｂの取付け方向、取付け位置、配線が正しく行われた否かを確認するため、施工・メンテナンス作業者は、操作器１１３により所定の操作を行うことで取付け状態の確認テストを行う。
【００８４】
＜Ｏ相に取り付けられていないかの確認動作＞
まず、第１電流センサ１０９ａおよび第２電流センサ１０９ｂが、第３の電線すなわちＯ相１０１ｃに間違って取り付けられていないかの判定する場合について、図１並びに図２（Ａ）及び図２（Ｂ）を参照しながら説明する。図２（Ａ）及び図２（Ｂ）は、本実施の形態１に係る分散型発電システムにおける第１電流センサ及び第２電流センサの設置状態の確認動作を模式的に示すフローチャートである。より詳細には、第１電流センサ及び第２電流センサがＯ相に配置されているか否かの確認動作を示すフローチャートである。
【００８５】
図２（Ａ）及び図２（Ｂ）に示すように、運転制御器１１２は、操作器１１３より操作信号を受けると、確認テストを開始する（ステップＳ１０１でＹｅｓ）。具体的には、運転制御器１１２は、第１電流センサ１０９ａ及び第２電流センサ１０９ｂが検知する電流値を取得する（ステップＳ１０２）。
【００８６】
次に、運転制御器１１２は、接続機構１１０に第１接続器１１０ａをＯＮする指令を出力する（ステップＳ１０３）。これにより、第１接続器１１０ａが、Ｕ相１０１ａ−Ｏ相１０１ｃ間に内部電力負荷１１１を接続することで、Ｕ相１０１ａの連系点１０３に電流が流れる。
【００８７】
このとき、運転制御器１１２は、第１電流センサ１０９ａ及び第２電流センサ１０９ｂが検知する電流値を再び取得し（ステップＳ１０４）、ステップＳ１０２で取得した電流値からの変化量（本実施の形態では、第１電流センサ１０９ａにおけるステップＳ１０２からの電流値の変化量をΔＩ１とし、第２電流センサ１０９ｂにおけるステップＳ１０２からの電流値の変化量をΔＩ２とする）を算出する（ステップＳ１０５）。
【００８８】
次に、運転制御器１１２は、接続機構１１０に第１接続器１１０ａをＯＦＦする指令を出力する（ステップＳ１０６）。これにより、第１接続器１１０ａが、Ｕ相１０１ａ−Ｏ相１０１ｃ間と内部電力負荷１１１の接続を解除することで、Ｕ相１０１ａの連系点１０３には電流が流れなくなる。
【００８９】
ここで、運転制御器１１２は、第１接続器１１０ａをＯＮ／ＯＦＦした際に、内部電力負荷１１１が消費した電力分だけ、第１電流センサ１０９ａが検知する電流値が変化した場合、すなわち、ΔＩ１が、所定範囲（本実施の形態では、−１Ａ〜１Ａの範囲）外の場合（ステップＳ１０７でＹｅｓ）には、ステップＳ１０８に進む。一方、運転制御器１１２は、ΔＩ１が、所定範囲内である場合（ステップＳ１０７でＮｏ）には、ステップＳ１１５に進む。なお、所定範囲は、内部電力負荷１１１が消費する電力量に対応する変化量よりも充分に小さい範囲内で、任意に設定することができる。具体的には、内部電力負荷１１１が消費する電力値から電線を通流する電流値を算出し、例えば、当該電流値の１０％〜３０％の値を所定範囲としてもよい。
【００９０】
ステップＳ１０８では、運転制御器１１２は、第１電流センサ１０９ａが検知する電流値を取得する。ついで、運転制御器１１２は、接続機構１１０に第２接続器１１０ｂをＯＮする指令を出力する（ステップＳ１０９）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【００９１】
このとき、運転制御器１１２は、第１電流センサ１０９ａが検知する電流値を再び取得し（ステップＳ１１０）、ステップＳ１０８で取得した電流値からの変化量（本実施の形態では、第１電流センサ１０９ａにおけるステップＳ１０８からの電流値の変化量をΔＩ３とする）を算出する（ステップＳ１１１）。
【００９２】
次に、運転制御器１１２は、接続機構１１０に第２接続器１１０ｂをＯＦＦする指令を出力する（ステップＳ１１２）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【００９３】
ここで、第２接続器１１０ｂをＯＮ／ＯＦＦした際に、内部電力負荷１１１が消費した電力分だけ、第１電流センサ１０９ａが検知する電流値が変化した場合、すなわち、ΔＩ３が、所定範囲（本実施の形態では、−１Ａ〜１Ａの範囲）外の場合（ステップＳ１１３でＹｅｓ）には、第１電流センサ１０９ａがＯ相１０１ｃの連系点１０３に間違って取り付けられていると判断することができる。すなわち、第１接続器１１０ａをＯＮ／ＯＦＦする前後において、第１電流センサ１０９ａが検知する電流値の変化量が、所定の範囲から外れ（ステップＳ１０７でＹｅｓ）、かつ、第２接続器１１０ｂをＯＮ／ＯＦＦする前後において、第１電流センサ１０９ａが検知する電流値の変化量が、所定の範囲から外れた場合（ステップＳ１１３でＹｅｓ）であるため、第１電流センサ１０９ａがＯ相１０１ｃの連系点１０３に取り付けられていると判断することができる。
【００９４】
このため、運転制御器１１２は、ΔＩ３が、所定の範囲から外れた場合（ステップＳ１１３でＹｅｓ）には、内蔵の不揮発性メモリ（記憶部）に異常情報として記憶し（ステップＳ１１４）、ステップＳ１２３に進む。一方、運転制御器１１２は、ΔＩ３が、所定範囲内である場合（ステップＳ１１３でＮｏ）には、ステップＳ１２３に進む。
【００９５】
ステップＳ１２３では、運転制御器１１２は、内蔵の不揮発性メモリに異常情報が記憶されているか否かを判断し、異常情報が記憶されている場合（ステップＳ１２３でＹｅｓ）には、表示器１１４にその異常情報を表示させ（ステップＳ１２４）、異常情報が記憶されていない場合（ステップＳ１２３でＮｏ）には、表示器１１４に正常情報を表示させる（ステップＳ１２５）。
【００９６】
一方、上述したように、運転制御器１１２は、ΔＩ１が所定範囲内にある場合（ステップＳ１０７でＮｏ）には、ステップＳ１１５に進む。ステップＳ１１５では、運転制御器１１２は、第１接続器１１０ａをＯＮ／ＯＦＦした際に、内部電力負荷１１１が消費した電力分だけ、第２電流センサ１０９ｂが検知する電流値が変化したか否かを判断する。
【００９７】
運転制御器１１２は、ΔＩ２が、所定範囲（本実施の形態では、−１Ａ〜１Ａの範囲）外の場合（ステップＳ１１５でＹｅｓ）には、ステップＳ１１６に進む。一方、運転制御器１１２は、ΔＩ２が、所定範囲内である場合（ステップＳ１１５でＮｏ）には、ステップＳ１２３に進む。
【００９８】
ステップＳ１１６では、運転制御器１１２は、第２電流センサ１０９ｂが検知する電流値を取得する。ついで、運転制御器１１２は、接続機構１１０に第２接続器１１０ｂをＯＮする指令を出力する（ステップＳ１１７）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【００９９】
このとき、運転制御器１１２は、第２電流センサ１０９ｂが検知する電流値を再び取得し（ステップＳ１１８）、ステップＳ１１６で取得した電流値からの変化量（本実施の形態では、第２電流センサ１０９ｂにおけるステップＳ１１６からの電流値の変化量をΔＩ４とする）を算出する（ステップＳ１１９）。
【０１００】
次に、運転制御器１１２は、接続機構１１０に第２接続器１１０ｂをＯＦＦする指令を出力する（ステップＳ１２０）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１０１】
ここで、第２接続器１１０ｂをＯＮ／ＯＦＦした際に、内部電力負荷１１１が消費した電力分だけ、第２電流センサ１０９ｂが検知する電流値が変化した場合、すなわち、ΔＩ４が、所定範囲（本実施の形態では、−１Ａ〜１Ａの範囲）外の場合（ステップＳ１２１でＹｅｓ）には、第２電流センサ１０９ｂがＯ相１０１ｃの連系点１０３に間違って取り付けられていると判断することができる。すなわち、第１接続器１１０ａをＯＮ／ＯＦＦする前後において、第２電流センサ１０９ｂが検知する電流値の変化量が、所定の範囲から外れ（ステップＳ１１５でＹｅｓ）、かつ、第２接続器１１０ｂをＯＮ／ＯＦＦする前後において、第２電流センサ１０９ｂが検知する電流値の変化量が、所定の範囲から外れた場合（ステップＳ１２１でＹｅｓ）であるため、第２電流センサ１０９ｂがＯ相１０１ｃの連系点１０３に取り付けられていると判断することができる。
【０１０２】
このため、運転制御器１１２は、ΔＩ４が、所定の範囲から外れた場合（ステップＳ１２１でＹｅｓ）には、内蔵の不揮発性メモリ（記憶部）に異常情報として記憶し（ステップＳ１２２）、ステップＳ１２３に進む。一方、運転制御器１１２は、ΔＩ４が、所定範囲内である場合（ステップＳ１２１でＮｏ）には、ステップＳ１２３に進む。
【０１０３】
ステップＳ１２３では、運転制御器１１２は、内蔵の不揮発性メモリに異常情報が記憶されているか否かを判断する。運転制御器１１２は、異常情報が記憶されている場合（ステップＳ１２３でＹｅｓ）には、表示器１１４にその異常情報を表示させる（ステップＳ１２４）。一方、運転制御器１１２は、異常情報が記憶されていない場合（ステップＳ１２３でＮｏ）には、表示器１１４に正常情報を表示させる（ステップＳ１２５）。そして、運転制御器１１２は、本プログラムを終了する。
【０１０４】
このようにして、運転制御器１１２は、第１電流センサ１０９ａ及び／又は第２電流センサ１０９ｂがＯ相に間違って配置されているか否かを判断することができる。
【０１０５】
＜電流センサの取り付け方向等の確認動作＞
次に、第１電流センサ１０９ａおよび第２電流センサ１０９ｂの取付け方向の自動補正や逆相に取付けられた状態や故障、断線、外れ等の状態を判定する場合について、図１及び図３（Ａ）〜（Ｃ）を参照しながら説明する。
【０１０６】
図３（Ａ）、図３（Ｂ）、及び図３（Ｃ）は、本実施の形態１に係る分散型発電システムにおける第１電流センサ及び第２電流センサの設置状態の確認動作を模式的に示すフローチャートである。より詳細には、第１電流センサ及び第２電流センサの取り付け方向等の確認動作を示すフローチャートである。
【０１０７】
図３（Ａ）〜図３（Ｃ）に示すように、運転制御器１１２は、操作器１１３より操作信号を受けると、確認テストを開始する（ステップＳ２０１でＹｅｓ）。運転制御器１１２は、まず、第１電流センサ１０９ａの故障（本実施の形態では、第１電流センサ１０９ａの信号線の断線や外れも含む）、取付け方向、Ｕ相１０１ａの連系点１０３に第１電流センサ１０９ａが正しく取付けられている、および第２電流センサ１０９ｂが誤って取付けられていないことを確認する。
【０１０８】
具体的には、運転制御器１１２は、第１電流センサ１０９ａ及び第２電流センサ１０９ｂが検知する電流値を取得する（ステップＳ２０２）。ついで、運転制御器１１２は、接続機構１１０に第１接続器１１０ａをＯＮする指令を出力する（ステップＳ２０３）。これにより、第１接続器１１０ａが、Ｕ相１０１ａ−Ｏ相１０１ｃ間に内部電力負荷１１１を接続することで、Ｕ相１０１ａの連系点１０３に電流が流れる。
【０１０９】
このとき、運転制御器１１２は、第１電流センサ１０９ａ及び第２電流センサ１０９ｂが検知する電流値を再び取得し（ステップＳ２０４）、ステップＳ２０２で取得した電流値からの変化量（本実施の形態では、第１電流センサ１０９ａにおけるステップＳ２０２からの電流値の変化量をΔＩ１とし、第２電流センサ１０９ｂにおけるステップＳ２０２からの電流値の変化量をΔＩ２とする）を算出する（ステップＳ２０５）。
【０１１０】
次に、運転制御器１１２は、接続機構１１０に第１接続器１１０ａをＯＦＦする指令を出力する（ステップＳ２０６）。これにより、第１接続器１１０ａが、Ｕ相１０１ａ−Ｏ相１０１ｃ間と内部電力負荷１１１の接続を解除することで、Ｕ相１０１ａの連系点１０３には電流が流れなくなる。
【０１１１】
ここで、上述したように、第１電流センサ１０９ａが、故障なく、正しい位置、つまりＵ相１０１ａの連系点１０３に取付けられていれば、内部電力負荷１１１が消費した電力分だけ、第１電流センサ１０９ａが検知する電流値が変化する。すなわち、ΔＩ１は、所定範囲（本実施の形態１においては、−１Ａ〜１Ａの範囲）外となる。一方、第１電流センサ１０９ａが、故障、断線、外れまたは誤った位置に取付けられていれば電流値が変化しない。すなわち、ΔＩ１は、所定範囲内となる。
【０１１２】
したがって、第１接続器１１０ａをＯＮ／ＯＦＦした際に、ΔＩ１が、所定範囲内である場合（ステップＳ２０７でＹｅｓ）には、第１電流センサ１０９ａが故障、断線、外れまたはＵ相１０１ａの連系点１０３とは異なる逆相の電線上（例えば、Ｗ相１０１ｂの連系点１０３）に取付けられていると判断することができる。このため、運転制御器１１２は、内蔵の不揮発性メモリ（記憶部）に、第１電流センサ１０９ａが異常であるという異常情報を記憶させ（ステップＳ２０８）、ステップＳ２１１に進む。
【０１１３】
一方、ΔＩ１が、所定範囲外である場合（ステップＳ２０７でＮｏ）であって、第１電流センサ１０９ａの電流値の変化量が所定値未満（本実施の形態では、−１Ａ未満）の場合（ステップＳ２０９でＹｅｓ）には、取り付け位置は正しい（Ｕ相１０１ａの連系点１０３に取付けられている）が、取り付け方向が逆と判断することができる。このため、運転制御器１１２は、第１電流センサ１０９ａの取り付け方向の正負を反転させて、内蔵の不揮発性メモリに記憶させるとともに、これ以降、第１電流センサ１０９ａが検知する電流値の符号を反転補正する（ステップＳ２１０）。そして、運転制御器１１２は、ステップＳ２１１に進む。
【０１１４】
ステップＳ２１１では、運転制御器１１２は、第２電流センサ１０９ｂが検知した電流値の変化量（ΔＩ２）が、所定範囲（本実施の形態１においては、−１Ａ〜１Ａの範囲）外であるか否かを判断する。
【０１１５】
ここで、上述したように、第２電流センサ１０９ｂが誤って、Ｕ相１０１ａの連系点１０３に取付けられていれば、第１接続器１１０ａをＯＮ／ＯＦＦした際、内部電力負荷１１１が消費した電力分だけ、第２電流センサ１０９ｂの電流値が変化する。
【０１１６】
したがって、第２電流センサ１０９ｂの電流値の変化量（ΔＩ２）が所定範囲外である場合（ステップＳ２１１でＹｅｓ）には、第２電流センサ１０９ｂが誤って、Ｕ相１０１ａの連系点１０３に取付けられていると判断することができる。このため、運転制御器１１２は、内蔵のメモリに、第２電流センサ１０９ｂが異常であるという異常情報を記憶させ（ステップＳ２１２）、ステップＳ２１３に進む。
【０１１７】
一方、運転制御器１１２は、ΔＩ２が所定範囲内である場合（ステップ２１１でＮｏ）には、ステップＳ２１３に進む。
【０１１８】
次に、ステップＳ２１３以降では、運転制御器１１２は、第２電流センサ１０９ｂの取付け方向、およびＷ相１０１ｂの連系点１０３に第２電流センサ１０９ｂが正しく取付けられている、および第１電流センサ１０９ａが誤って取付けられていないことを確認する。
【０１１９】
ステップＳ２１３では、運転制御器１１２は、第１電流センサ１０９ａ及び第２電流センサ１０９ｂが検知する電流値を取得する。ついで、運転制御器１１２は、接続機構１１０に第２接続器１１０ｂをＯＮする指令を出力する（ステップＳ２１４）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【０１２０】
このとき、運転制御器１１２は、第１電流センサ１０９ａ及び第２電流センサ１０９ｂが検知する電流値を再び取得し（ステップＳ２１５）、ステップＳ２１３で取得した電流値からの変化量（本実施の形態では、第１電流センサ１０９ａにおけるステップＳ２１３からの電流値の変化量をΔＩ３とし、第２電流センサ１０９ｂにおけるステップＳ２１３からの電流値の変化量をΔＩ４とする）を算出する（ステップＳ２１６）。
【０１２１】
次に、運転制御器１１２は、接続機構１１０に第２接続器１１０ｂをＯＦＦする指令を出力する（ステップＳ２１７）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１２２】
ここで、上述したように、第２電流センサ１０９ｂが、故障なく、正しい位置、つまりＷ相１０１ｂの連系点１０３に取付けられていれば、内部電力負荷１１１が消費した電力分だけ、第２電流センサ１０９ｂが検知する電流値が変化する。すなわち、ΔＩ４は、所定範囲（本実施の形態１においては、−１Ａ〜１Ａの範囲）外となる。一方、第２電流センサ１０９ｂが、故障、断線、外れまたは誤った位置に取付けられていれば電流値が変化しない。すなわち、ΔＩ４は、所定範囲内となる。
【０１２３】
したがって、第２接続器１１０ｂをＯＮ／ＯＦＦした際に、ΔＩ４が、所定範囲内である場合（ステップＳ２１８でＹｅｓ）には、第２電流センサ１０９ｂが故障、断線、外れまたはＷ相１０１ｂの連系点１０３とは異なる逆相の電線上（例えば、Ｕ相１０１ａの連系点１０３）に取付けられていると判断することができる。このため、運転制御器１１２は、内蔵の不揮発性メモリ（記憶部）に、第２電流センサ１０９ｂが異常であるという異常情報を記憶させ（ステップＳ２１９）、ステップＳ２２２に進む。
【０１２４】
一方、ΔＩ４が、所定範囲外である場合（ステップＳ２１８でＮｏ）であって、第２電流センサ１０９ｂの電流値の変化量が所定値未満（本実施の形態では、−１Ａ未満）の場合（ステップＳ２２０でＹｅｓ）には、取り付け位置は正しい（Ｗ相１０１ｂの連系点１０３に取付けられている）が、取り付け方向が逆と判断することができる。このため、運転制御器１１２は、第２電流センサ１０９ｂの取り付け方向の正負を反転させて、内蔵の不揮発性メモリに記憶させるとともに、これ以降、第２電流センサ１０９ｂが検知する電流値の符号を反転補正する（ステップＳ２２１）。そして、運転制御器１１２は、ステップＳ２２２に進む。
【０１２５】
ステップＳ２２２では、運転制御器１１２は、第１電流センサ１０９ａが検知した電流値の変化量（ΔＩ３）が、所定範囲（本実施の形態１においては、−１Ａ〜１Ａの範囲）外であるか否かを判断する。
【０１２６】
ここで、上述したように、第１電流センサ１０９ａが誤って、Ｗ相１０１ｂの連系点１０３に取付けられていれば、第２接続器１１０ｂをＯＮ／ＯＦＦした際、内部電力負荷１１１が消費した電力分だけ、第１電流センサ１０９ａの電流値が変化する。
【０１２７】
したがって、第１電流センサ１０９ａの電流値の変化量（ΔＩ３）が所定範囲外の場合（ステップＳ２２２でＹｅｓ）には、第１電流センサ１０９ａが誤って、Ｗ相１０１ｂの連系点１０３に取付けられていると判断することができる。このため、運転制御器１１２は、内蔵のメモリに、第１電流センサ１０９ａが異常であるという異常情報を記憶させ（ステップＳ２２３）、ステップＳ２２４に進む。
【０１２８】
一方、運転制御器１１２は、ΔＩ３が所定範囲内の場合（ステップ２２２でＮｏ）には、ステップＳ２２４に進む。
【０１２９】
ステップＳ２２４では、運転制御器１１２は、内蔵の不揮発性メモリに異常情報が記憶されているか否かを判断する。運転制御器１１２は、異常情報が記憶されている場合（ステップＳ２２４でＹｅｓ）には、表示器１１４にその異常情報を表示させる（ステップＳ２２５）。一方、運転制御器１１２は、異常情報が記憶されていない場合（ステップＳ２２４でＮｏ）には、表示器１１４に正常情報を表示させる（ステップＳ２２６）。そして、運転制御器１１２は、本プログラムを終了する。
【０１３０】
施工・メンテナンス作業者は、取付け状態の確認テスト操作後、表示器１１４への結果表示により取付け状態の確認テストが終了したと判断することができる。このとき、表示器１１４に表示された結果が異常情報である場合、その内容により取付け状態の修正作業を行う。そして、修正作業完了時には、再度第１電流センサ１０９ａ、第２電流センサ１０９ｂの取付け状態の確認テストを行い、正常な取付け状態を確認するまで上記作業を繰り返す。
【０１３１】
このようにして、本実施の形態１に係る分散型発電システム１０２では、簡単な構成で、第１電流センサ１０９ａ及び第２電流センサ１０９ｂが設置されている電線及びその設置方向を判断することができる。このため、施工・メンテナンス作業者は、第１電流センサ１０９ａ及び第２電流センサ１０９ｂを適切な位置に配置することができる。
【０１３２】
なお、本実施の形態１では、施工・メンテナンス作業者の操作により取り付け状態の確認を行ったが、これに限定されない。施工・メンテナンス後、定期的に、例えば、分散型発電システム１０２の電源投入時や発電装置１０５の発電前後等、第１電流センサ１０９ａ及び第２電流センサ１０９ｂの電流値の変動が小さいときに、取り付け状態の確認を行ってもよい。このとき、判取り付け状態に異常があった場合には、表示器１１４を用いてユーザーに警告を行っても構わない。これにより、施工・メンテナンス後に、第１電流センサ１０９ａ及び／又は第２電流センサ１０９ｂの取付け位置の間違い、取り付け方向の修正、又は断線や取り付け位置から外れた等の故障を検出することができる。
【０１３３】
また、本実施の形態１では、運転制御器１１２は、接続機構１１０の第１接続器１１０ａ又は第２接続器１１０ｂをＯＮ／ＯＦＦした際における第１電流センサ１０９ａ、第２電流センサ１０９ｂが検知する電流値の変化量を基にして、取付け状態の判断を行ったが、これに限定されない。
【０１３４】
例えば、第１接続器１１０ａ及び第２接続器１１０ｂがＯＦＦのときに、第１電流センサ１０９ａ、第２電流センサ１０９ｂが検知する電流値が限りなく０に近い場合、運転制御器１１２は、電流値の変化量でなく、第１接続器１１０ａ又は第２接続器１１０ｂをＯＮした際に検出される電流値を基にして、判断を行っても構わない。
【０１３５】
［変形例］
次に、本実施の形態１に係る分散型発電システム１０２の変形例について説明する。なお、本変形例の分散型発電システム１０２は、実施の形態１に係る分散型発電システム１０２の構成と同じであるため、その詳細な説明は省略する。
【０１３６】
［電流センサの設置状態確認動作］
図４（Ａ）、図４（Ｂ）、及び図４（Ｃ）は、本変形例１の分散型発電システムにおける第１電流センサの設置状態の確認動作を模式的に示すフローチャートである。図５（Ａ）、図５（Ｂ）、及び図５（Ｃ）は、本変形例１の分散型発電システムにおける第２電流センサの設置状態の確認動作を模式的に示すフローチャートである。
【０１３７】
＜第１電流センサの設置状態確認動作＞
まず、第１電流センサ１０９ａの設置状態確認動作について、図１及び図４（Ａ）、図４（Ｂ）、及び図４（Ｃ）を参照しながら説明する。
【０１３８】
図４（Ａ）、図４（Ｂ）、及び図４（Ｃ）に示すように、運転制御器１１２は、操作器１１３より操作信号を受けると、確認テストを開始する（ステップＳ３０１でＹｅｓ）。具体的には、運転制御器１１２は、第１電流センサ１０９ａが検知する電流値を取得する（ステップＳ３０２）。
【０１３９】
次に、運転制御器１１２は、接続機構１１０に第１接続器１１０ａをＯＮする指令を出力する（ステップＳ３０３）。これにより、第１接続器１１０ａが、Ｕ相１０１ａ−Ｏ相１０１ｃ間に内部電力負荷１１１を接続することで、Ｕ相１０１ａの連系点１０３に電流が流れる。
【０１４０】
このとき、運転制御器１１２は、第１電流センサ１０９ａが検知する電流値を再び取得し（ステップＳ３０４）、ステップＳ３０２で取得した電流値からの変化量（本変形例では、第１電流センサ１０９ａにおけるステップＳ３０２からの電流値の変化量をΔＩ７とする）を算出する（ステップＳ３０５）。
【０１４１】
次に、運転制御器１１２は、接続機構１１０に第１接続器１１０ａをＯＦＦする指令を出力する（ステップＳ３０６）。これにより、第１接続器１１０ａが、Ｕ相１０１ａ−Ｏ相１０１ｃ間と内部電力負荷１１１の接続を解除することで、Ｕ相１０１ａの連系点１０３には電流が流れなくなる。
【０１４２】
ここで、運転制御器１１２は、第１接続器１１０ａをＯＮ／ＯＦＦした際に、内部電力負荷１１１が消費した電力分だけ、第１電流センサ１０９ａが検知する電流値が変化しなかった場合、すなわち、ΔＩ７が、所定範囲（本変形例では、−１Ａ〜１Ａの範囲）内である場合（ステップＳ３０７でＹｅｓ）には、ステップＳ３０８に進む。一方、運転制御器１１２は、ΔＩ７が、所定範囲外である場合（ステップＳ３０７でＮｏ）には、ステップＳ３１６に進む。
【０１４３】
ステップＳ３０８では、運転制御器１１２は、第１電流センサ１０９ａが検知する電流値を取得する。ついで、運転制御器１１２は、接続機構１１０に第２接続器１１０ｂをＯＮする指令を出力する（ステップＳ３０９）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【０１４４】
このとき、運転制御器１１２は、第１電流センサ１０９ａが検知する電流値を再び取得し（ステップＳ３１０）、ステップＳ３０８で取得した電流値からの変化量（本変形例では、第１電流センサ１０９ａにおけるステップＳ３０８からの電流値の変化量をΔＩ８とする）を算出する（ステップＳ３１１）。
【０１４５】
次に、運転制御器１１２は、接続機構１１０に第２接続器１１０ｂをＯＦＦする指令を出力する（ステップＳ３１２）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１４６】
ここで、第２接続器１１０ｂをＯＮ／ＯＦＦした際に、内部電力負荷１１１が消費した電力分だけ、第１電流センサ１０９ａが検知する電流値が変化した場合、すなわち、ΔＩ８が、所定範囲（本変形例では、−１Ａ〜１Ａの範囲）外である場合（ステップＳ３１３でＹｅｓ）には、第１電流センサ１０９ａがＷ相１０１ｂに間違って配置されていると判断することができる。すなわち、第１接続器１１０ａをＯＮ／ＯＦＦする前後において、第１電流センサ１０９ａが検知する電流値の変化量が、所定の範囲内であり（ステップＳ３０７でＹｅｓ）、かつ、第２接続器１１０ｂをＯＮ／ＯＦＦする前後において、第１電流センサ１０９ａが検知する電流値の変化量が、所定の範囲外である場合（ステップＳ３１３でＹｅｓ）であるため、第１電流センサ１０９ａがＷ相１０１ｂの連系点１０３に取り付けられていると判断することができる。
【０１４７】
一方、第２接続器１１０ｂをＯＮ／ＯＦＦした際に、内部電力負荷１１１が消費した電力分だけ、第１電流センサ１０９ａが検知する電流値が変化しない場合、すなわち、ΔＩ８が、所定範囲（本変形例では、−１Ａ〜１Ａの範囲）内である場合（ステップＳ３１３でＮｏ）には、第１電流センサ１０９ａが故障していると判断することができる。すなわち、第１接続器１１０ａをＯＮ／ＯＦＦする前後において、第１電流センサ１０９ａが検知する電流値の変化量が、所定の範囲内であり（ステップＳ３０７でＹｅｓ）、かつ、第２接続器１１０ｂをＯＮ／ＯＦＦする前後において、第１電流センサ１０９ａが検知する電流値の変化量が、所定の範囲内である場合（ステップＳ３１３でＮｏ）であるため、第１電流センサ１０９ａは電流値を検知していないことになる。したがって、第１電流センサ１０９ａが、故障していると判断することができる。
【０１４８】
このため、運転制御器１１２は、ΔＩ８が、所定の範囲から外れた場合（ステップＳ３１３でＹｅｓ）には、内蔵の不揮発性メモリ（記憶部）に第１電流センサ１０９ａがＷ相１０１ｂに配置されているという異常情報を記憶させ（ステップＳ３１４）、ステップＳ３２４に進む。一方、運転制御器１１２は、ΔＩ８が、所定範囲内である場合（ステップＳ３１３でＮｏ）には、第１電流センサ１０９ａが故障であるという異常情報を記憶部に記憶させ（ステップＳ３１５）、ステップＳ３２４に進む。
【０１４９】
一方、上述したように、運転制御器１１２は、ΔＩ７が所定範囲外である場合（ステップＳ３０７でＮｏ）には、ステップＳ３１６に進む。ステップＳ３１６では、運転制御器１１２は、第２電流センサ１０９ｂが検知する電流値を取得する。ついで、運転制御器１１２は、接続機構１１０に第２接続器１１０ｂをＯＮする指令を出力する（ステップＳ３１７）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【０１５０】
このとき、運転制御器１１２は、第２電流センサ１０９ｂが検知する電流値を再び取得し（ステップＳ３１８）、ステップＳ３１６で取得した電流値からの変化量（本変形例では、第２電流センサ１０９ｂにおけるステップＳ３１６からの電流値の変化量をΔＩ９とする）を算出する（ステップＳ３１９）。
【０１５１】
次に、運転制御器１１２は、接続機構１１０に第２接続器１１０ｂをＯＦＦする指令を出力する（ステップＳ３２０）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１５２】
ここで、第２接続器１１０ｂをＯＮ／ＯＦＦした際に、内部電力負荷１１１が消費した電力分だけ、第２電流センサ１０９ｂが検知する電流値が変化しなかった場合、すなわち、ΔＩ９が、所定範囲（本変形例では、−１Ａ〜１Ａの範囲）内である場合（ステップＳ３２１でＹｅｓ）には、第１電流センサ１０９ａがＵ相１０１ａの連系点１０３に正しく取り付けられていると判断することができる。すなわち、第１接続器１１０ａをＯＮ／ＯＦＦする前後において、第１電流センサ１０９ａが検知する電流値の変化量が、所定の範囲から外れ（ステップＳ３０７でＮｏ）、かつ、第２接続器１１０ｂをＯＮ／ＯＦＦする前後において、第１電流センサ１０９ａが検知する電流値の変化量が、所定の範囲内である場合（ステップＳ３２１でＹｅｓ）であるため、第１電流センサ１０９ａがＵ相１０１ａの連系点１０３に取り付けられていると判断することができる。
【０１５３】
一方、第２接続器１１０ｂをＯＮ／ＯＦＦした際に、内部電力負荷１１１が消費した電力分だけ、第２電流センサ１０９ｂが検知する電流値が変化した場合、すなわち、ΔＩ９が、所定範囲（本変形例では、−１Ａ〜１Ａの範囲）外である場合（ステップＳ３２１でＮｏ）には、第１電流センサ１０９ａがＯ相１０１ｃの連系点１０３に間違って取り付けられていると判断することができる。すなわち、第１接続器１１０ａをＯＮ／ＯＦＦする前後において、第１電流センサ１０９ａが検知する電流値の変化量が、所定の範囲から外れ（ステップＳ３０７でＮｏ）、かつ、第２接続器１１０ｂをＯＮ／ＯＦＦする前後において、第１電流センサ１０９ａが検知する電流値の変化量が、所定の範囲から外れた場合（ステップＳ３２１でＮｏ）であるため、第１電流センサ１０９ａがＯ相１０１ｃの連系点１０３に取り付けられていると判断することができる。
【０１５４】
このため、運転制御器１１２は、ΔＩ９が、所定の範囲内である場合（ステップＳ３２１でＹｅｓ）には、内蔵の不揮発性メモリ（記憶部）に、第１電流センサ１０９ａがＵ相１０１ａに配置されているという正常情報を記憶させ（ステップＳ３２２）、ステップＳ３２４に進む。一方、運転制御器１１２は、ΔＩ９が、所定範囲外である場合（ステップＳ３２１でＮｏ）には、第１電流センサ１０９ａがＯ相１０１ｃに間違って配置されているという異常情報を記憶部に記憶させ（ステップＳ３２３）、ステップＳ３２４に進む。
【０１５５】
ステップＳ３２４では、運転制御器１１２は、内蔵の不揮発性メモリに異常情報が記憶されているか否かを判断する。運転制御器１１２は、異常情報が記憶されている場合（ステップＳ３２４でＹｅｓ）には、表示器１１４にその異常情報を表示させる（ステップＳ３２５）。一方、運転制御器１１２は、異常情報が記憶されていない場合（ステップＳ３２４でＮｏ）には、表示器１１４に正常情報を表示させる（ステップＳ３２６）。そして、運転制御器１１２は、本プログラムを終了する。
【０１５６】
このようにして、本変形例１の分散型発電システム１０２では、第１電流センサ１０９ａの設置状態を確認することができる。
【０１５７】
＜第２電流センサの設置状態確認動作＞
次に、第２電流センサ１０９ｂの設置状態確認動作について、図１及び図５（Ａ）、図５（Ｂ）、及び図５（Ｃ）を参照しながら説明する。
【０１５８】
図５（Ａ）、図５（Ｂ）、及び図５（Ｃ）に示すように、運転制御器１１２は、操作器１１３より操作信号を受けると、確認テストを開始する（ステップＳ４０１でＹｅｓ）。具体的には、運転制御器１１２は、第２電流センサ１０９ｂが検知する電流値を取得する（ステップＳ４０２）。
【０１５９】
次に、運転制御器１１２は、接続機構１１０に第１接続器１１０ａをＯＮする指令を出力する（ステップＳ４０３）。これにより、第１接続器１１０ａが、Ｕ相１０１ａ−Ｏ相１０１ｃ間に内部電力負荷１１１を接続することで、Ｕ相１０１ａの連系点１０３に電流が流れる。
【０１６０】
このとき、運転制御器１１２は、第２電流センサ１０９ｂが検知する電流値を再び取得し（ステップＳ４０４）、ステップＳ４０２で取得した電流値からの変化量（本実施の形態では、第２電流センサ１０９ｂにおけるステップＳ４０２からの電流値の変化量をΔＩ１０とする）を算出する（ステップＳ４０５）。
【０１６１】
次に、運転制御器１１２は、接続機構１１０に第１接続器１１０ａをＯＦＦする指令を出力する（ステップＳ４０６）。これにより、第１接続器１１０ａが、Ｕ相１０１ａ−Ｏ相１０１ｃ間と内部電力負荷１１１の接続を解除することで、Ｕ相１０１ａの連系点１０３には電流が流れなくなる。
【０１６２】
ここで、運転制御器１１２は、第１接続器１１０ａをＯＮ／ＯＦＦした際に、内部電力負荷１１１が消費した電力分だけ、第２電流センサ１０９ｂが検知する電流値が変化しなかった場合、すなわち、ΔＩ１０が、所定範囲（本変形例では、−１Ａ〜１Ａの範囲）内である場合（ステップＳ４０７でＹｅｓ）には、ステップＳ４０８に進む。一方、運転制御器１１２は、ΔＩ１０が、所定範囲外である場合（ステップＳ４０７でＮｏ）には、ステップＳ４１６に進む。
【０１６３】
ステップＳ４０８では、運転制御器１１２は、第２電流センサ１０９ｂが検知する電流値を取得する。ついで、運転制御器１１２は、接続機構１１０に第２接続器１１０ｂをＯＮする指令を出力する（ステップＳ４０９）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【０１６４】
このとき、運転制御器１１２は、第２電流センサ１０９ｂが検知する電流値を再び取得し（ステップＳ４１０）、ステップＳ４０８で取得した電流値からの変化量（本変形例では、第２電流センサ１０９ｂにおけるステップＳ４０８からの電流値の変化量をΔＩ１１とする）を算出する（ステップＳ４１１）。
【０１６５】
次に、運転制御器１１２は、接続機構１１０に第２接続器１１０ｂをＯＦＦする指令を出力する（ステップＳ４１２）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１６６】
ここで、第２接続器１１０ｂをＯＮ／ＯＦＦした際に、内部電力負荷１１１が消費した電力分だけ、第２電流センサ１０９ｂが検知する電流値が変化した場合、すなわち、ΔＩ１１が、所定範囲（本変形例では、−１Ａ〜１Ａの範囲）外である場合（ステップＳ４１３でＹｅｓ）には、第２電流センサ１０９ｂがＷ相１０１ｂに正しく配置されていると判断することができる。すなわち、第１接続器１１０ａをＯＮ／ＯＦＦする前後において、第２電流センサ１０９ｂが検知する電流値の変化量が、所定の範囲内であり（ステップＳ４０７でＹｅｓ）、かつ、第２接続器１１０ｂをＯＮ／ＯＦＦする前後において、第２電流センサ１０９ｂが検知する電流値の変化量が、所定の範囲外である場合（ステップＳ４１３でＹｅｓ）であるため、第２電流センサ１０９ｂがＷ相１０１ｂの連系点１０３に取り付けられていると判断することができる。
【０１６７】
一方、第２接続器１１０ｂをＯＮ／ＯＦＦした際に、内部電力負荷１１１が消費した電力分だけ、第２電流センサ１０９ｂが検知する電流値が変化しない場合、すなわち、ΔＩ１１が、所定範囲（本変形例では、−１Ａ〜１Ａの範囲）内である場合（ステップＳ４１３でＮｏ）には、第２電流センサ１０９ｂが故障していると判断することができる。すなわち、第１接続器１１０ａをＯＮ／ＯＦＦする前後において、第２電流センサ１０９ｂが検知する電流値の変化量が、所定の範囲内であり（ステップＳ４０７でＹｅｓ）、かつ、第２接続器１１０ｂをＯＮ／ＯＦＦする前後において、第２電流センサ１０９ｂが検知する電流値の変化量が、所定の範囲内である場合（ステップＳ４１３でＮｏ）であるため、第２電流センサ１０９ｂが電流値を検知していないことになる。したがって、第２電流センサ１０９ｂが、故障していると判断することができる。
【０１６８】
このため、運転制御器１１２は、ΔＩ１１が、所定の範囲から外れた場合（ステップＳ４１３でＹｅｓ）には、内蔵の不揮発性メモリ（記憶部）に第２電流センサ１０９ｂがＷ相１０１ｂに配置されているという正常情報を記憶させ（ステップＳ４１４）、ステップＳ４２４に進む。一方、運転制御器１１２は、ΔＩ１１が、所定範囲内である場合（ステップＳ４１３でＮｏ）には、第２電流センサ１０９ｂが故障であるという異常情報を記憶部に記憶させ（ステップＳ４１５）、ステップＳ４２４に進む。
【０１６９】
一方、上述したように、運転制御器１１２は、ΔＩ１０が所定範囲外である場合（ステップＳ４０７でＮｏ）には、ステップＳ４１６に進む。ステップＳ４１６では、運転制御器１１２は、第２電流センサ１０９ｂが検知する電流値を取得する。ついで、運転制御器１１２は、接続機構１１０に第２接続器１１０ｂをＯＮする指令を出力する（ステップＳ４１７）。これにより、第２接続器１１０ｂが、Ｗ相１０１ｂ−Ｏ相１０１ｃ間に内部電力負荷１１１を接続することで、Ｗ相１０１ｂの連系点１０３に電流が流れる。
【０１７０】
このとき、運転制御器１１２は、第２電流センサ１０９ｂが検知する電流値を再び取得し（ステップＳ４１８）、ステップＳ４１６で取得した電流値からの変化量（本変形例では、第２電流センサ１０９ｂにおけるステップＳ４１６からの電流値の変化量をΔＩ１２とする）を算出する（ステップＳ４１９）。
【０１７１】
次に、運転制御器１１２は、接続機構１１０に第２接続器１１０ｂをＯＦＦする指令を出力する（ステップＳ４２０）。これにより、第２接続器１１０ｂが、Ｗ相１０１ｂ−Ｏ相１０１ｃ間と内部電力負荷１１１の接続を解除することで、Ｗ相１０１ｂの連系点１０３には電流が流れなくなる。
【０１７２】
ここで、第２接続器１１０ｂをＯＮ／ＯＦＦした際に、内部電力負荷１１１が消費した電力分だけ、第２電流センサ１０９ｂが検知する電流値が変化しなかった場合、すなわち、ΔＩ１２が、所定範囲（本変形例では、−１Ａ〜１Ａの範囲）内である場合（ステップＳ４２１でＹｅｓ）には、第２電流センサ１０９ｂが間違ってＵ相１０１ａの連系点１０３に取り付けられていると判断することができる。すなわち、第１接続器１１０ａをＯＮ／ＯＦＦする前後において、第２電流センサ１０９ｂが検知する電流値の変化量が、所定の範囲から外れ（ステップＳ４０７でＮｏ）、かつ、第２接続器１１０ｂをＯＮ／ＯＦＦする前後において、第２電流センサ１０９ｂが検知する電流値の変化量が、所定の範囲内である場合（ステップＳ４２１でＹｅｓ）であるため、第２電流センサ１０９ｂがＵ相１０１ａの連系点１０３に取り付けられていると判断することができる。
【０１７３】
一方、第２接続器１１０ｂをＯＮ／ＯＦＦした際に、内部電力負荷１１１が消費した電力分だけ、第２電流センサ１０９ｂが検知する電流値が変化した場合、すなわち、ΔＩ１２が、所定範囲（本変形例では、−１Ａ〜１Ａの範囲）外である場合（ステップＳ４２１でＮｏ）には、第２電流センサ１０９ｂがＯ相１０１ｃの連系点１０３に間違って取り付けられていると判断することができる。すなわち、第１接続器１１０ａをＯＮ／ＯＦＦする前後において、第２電流センサ１０９ｂが検知する電流値の変化量が、所定の範囲から外れ（ステップＳ４０７でＮｏ）、かつ、第２接続器１１０ｂをＯＮ／ＯＦＦする前後において、第２電流センサ１０９ｂが検知する電流値の変化量が、所定の範囲から外れた場合（ステップＳ４２１でＮｏ）であるため、第２電流センサ１０９ｂがＯ相１０１ｃの連系点１０３に取り付けられていると判断することができる。
【０１７４】
このため、運転制御器１１２は、ΔＩ１２が、所定の範囲内である場合（ステップＳ４２１でＹｅｓ）には、内蔵の不揮発性メモリ（記憶部）に、第２電流センサ１０９ｂがＵ相１０１ａに間違って配置されているという異常情報を記憶させ（ステップＳ４２２）、ステップＳ４２４に進む。一方、運転制御器１１２は、ΔＩ１２が、所定範囲外である場合（ステップＳ４２１でＮｏ）には、第２電流センサ１０９ｂがＯ相１０１ｃに間違って配置されているという異常情報を記憶部に記憶させ（ステップＳ４２３）、ステップＳ４２４に進む。
【０１７５】
ステップＳ４２４では、運転制御器１１２は、内蔵の不揮発性メモリに異常情報が記憶されているか否かを判断する。運転制御器１１２は、異常情報が記憶されている場合（ステップＳ４２４でＹｅｓ）には、表示器１１４にその異常情報を表示させる（ステップＳ４２５）。一方、運転制御器１１２は、異常情報が記憶されていない場合（ステップＳ４２４でＮｏ）には、表示器１１４に正常情報を表示させる（ステップＳ４２６）。そして、運転制御器１１２は、本プログラムを終了する。
【０１７６】
このようにして、本変形例１の分散型発電システム１０２では、第２電流センサ１０９ｂの設置状態を確認することができる。
【０１７７】
このように構成された、本変形例１の分散型発電システム１０２であっても、実施の形態１に係る分散型発電システム１０２と同様の作用効果を奏する。また、本変形例１の分散型発電システム１０２では、より具体的に第１電流センサ１０９ａ、第２電流センサ１０９ｂが設置されている電線を判断することができる。
【０１７８】
なお、本変形例１においては、第１電流センサ１０９ａ、第２電流センサ１０９ｂの設置方向については、判断するフローを記載していないが、実施の形態１で記載したフローを参照することで、第１電流センサ１０９ａ、第２電流センサ１０９ｂの設置方向は、容易に判断することができる。また、第１電流センサ１０９ａ及び／又は第２電流センサ１０９ｂの設置方向が逆方向である場合には、運転制御器１１２は、第１電流センサ１０９ａ及び／又は第２電流センサ１０９ｂの取り付け方向の正負を反転させて、記憶部に記憶させるとともに、これ以降、第１電流センサ１０９ａ及び／又は第２電流センサ１０９ｂが検知する電流値の符号を反転補正するように構成されていてもよい。
【０１７９】
（実施の形態２）
本発明の実施の形態２に係る分散型発電システムは、接続機構が第１の電線と第２の電線を内部電力負荷に接続する第３接続器を有しており、制御器は、第３接続器が第１の電線と第２の電線を内部電力負荷と接続する前後における第１電流センサが検出する電流値の変化量が内部電力負荷の消費電力量に対応した変化量でない場合に、第１電流センサが第３の電線に配置されているか、又は第１電流センサ自体が異常であると判断するように構成されている態様を例示するものである。
【０１８０】
［分散型発電システムの構成］
図６は、本発明の実施の形態２に係る分散型発電システムの概略構成を模式的に示すブロック図である。
【０１８１】
図６に示すように、本発明の実施の形態２に係る分散型発電システム１０２は、実施の形態１に係る分散型発電システム１０２と基本的構成は同じであるが、接続機構１１０が第３接続器１１０ｃで構成されている点が異なる。具体的には、第３接続器１１０ｃは、ＯＮ状態のときに、電力系統１０１のＵ相１０１ａ−Ｗ相１０１ｂ間に内部電力負荷１１１を接続するように構成されている。
【０１８２】
［分散型発電システムの動作（電流センサの設置状態確認動作）］
次に、本実施の形態２に係る分散型発電システム１０２の動作（電流センサの設置状態確認動作）について、図６及び図７を参照しながら説明する。
【０１８３】
図７は、本発明の実施の形態２に係る分散型発電システムにおける第１電流センサの設置状態の確認動作を模式的に示すフローチャートである。
【０１８４】
図７に示すように、運転制御器１１２は、操作器１１３より操作信号を受けると、確認テストを開始する（ステップＳ５０１でＹｅｓ）。具体的には、運転制御器１１２は、第１電流センサ１０９ａが検知する電流値を取得する（ステップＳ５０２）。
【０１８５】
次に、運転制御器１１２は、接続機構１１０に第３接続器１１０ｃをＯＮする指令を出力する（ステップＳ５０３）。これにより、第３接続器１１０ｃが、Ｕ相１０１ａ−Ｗ相１０１ｂ間に内部電力負荷１１１を接続することで、Ｕ相１０１ａの連系点１０３及びＷ相１０１ｂの連系点１０３に電流が流れる。
【０１８６】
このとき、運転制御器１１２は、第１電流センサ１０９ａが検知する電流値を再び取得し（ステップＳ５０４）、ステップＳ５０２で取得した電流値からの変化量（本実施の形態２では、第１電流センサ１０９ａにおけるステップＳ５０２からの電流値の変化量をΔＩ５とする）を算出する（ステップＳ５０５）。
【０１８７】
次に、運転制御器１１２は、接続機構１１０に第３接続器１１０ｃをＯＦＦする指令を出力する（ステップＳ５０６）。これにより、第３接続器１１０ｃが、Ｕ相１０１ａ−Ｗ相１０１ｂ間と内部電力負荷１１１の接続を解除することで、Ｕ相１０１ａの連系点１０３及びＷ相１０１ｂの連系点１０３には電流が流れなくなる。
【０１８８】
ここで、第３接続器１１０ｃをＯＮ／ＯＦＦした際に、内部電力負荷１１１が消費した電力分だけ、第１電流センサ１０９ａが検知する電流値が変化しなかった場合、すなわち、ΔＩ５が、所定範囲（本実施の形態２では、−１Ａ〜１Ａの範囲）内である場合（ステップＳ５０７でＹｅｓ）には、第１電流センサ１０９ａがＯ相１０１ｃの連系点１０３に間違って取り付けられている、又は第１電流センサ１０９ａ自体が異常であると判断することができる。
【０１８９】
このため、運転制御器１１２は、ΔＩ５が、所定の範囲内である場合（ステップＳ５０７でＹｅｓ）には、内蔵の不揮発性メモリ（記憶部）に、第１電流センサ１０９ａがＯ相１０１ｃに配置されているという異常情報を記憶させ（ステップＳ５０８）、ステップＳ５０９に進む。一方、運転制御器１１２は、ΔＩ５が、所定範囲外である場合（ステップＳ５０７でＮｏ）には、そのままステップＳ５０９に進む。
【０１９０】
ステップＳ５０９では、運転制御器１１２は、内蔵の不揮発性メモリに異常情報が記憶されているか否かを判断する。運転制御器１１２は、異常情報が記憶されている場合（ステップＳ５０９でＹｅｓ）には、表示器１１４にその異常情報を表示させる（ステップＳ５１０）。一方、運転制御器１１２は、異常情報が記憶されていない場合（ステップＳ５０９でＮｏ）には、表示器１１４に正常情報を表示させる（ステップＳ５１１）。そして、運転制御器１１２は、本プログラムを終了する。
【０１９１】
このようにして、本実施の形態２に係る分散型発電システム１０２では、第１電流センサ１０９ａの設置状態を確認することができる。具体的には、第１電流センサ１０９ａがＯ相１０１ｃの連系点１０３に配置されていないことを確認することができる。
【０１９２】
［変形例］
次に、本実施の形態２に係る分散型発電システム１０２の変形例について説明する。
【０１９３】
本実施の形態２における変形例の分散型発電システムは、接続機構が第１の電線と第２の電線を内部電力負荷に接続する第３接続器を有しており、制御器は、第３接続器が第１の電線と第２の電線を内部電力負荷と接続する前後における第２電流センサが検出する電流値の変化量が内部電力負荷の消費電力量に対応した変化量でない場合に、第２電流センサが第３の電線に配置されているか、又は第２電流センサ自体が異常であると判断するように構成されている態様を例示するものである。
【０１９４】
［分散型発電システムの動作（電流センサの設置状態確認動作）］
本変形例の分散型発電システムは、実施の形態２に係る分散型発電システムの構成と同じであるため、その詳細な説明は省略する。
【０１９５】
図８は、本実施の形態２の変形例の分散型発電システムにおける第２電流センサの設置状態の確認動作を模式的に示すフローチャートである。
【０１９６】
図８に示すように、運転制御器１１２は、操作器１１３より操作信号を受けると、確認テストを開始する（ステップＳ６０１でＹｅｓ）。具体的には、運転制御器１１２は、第２電流センサ１０９ｂが検知する電流値を取得する（ステップＳ６０２）。
【０１９７】
次に、運転制御器１１２は、接続機構１１０に第３接続器１１０ｃをＯＮする指令を出力する（ステップＳ６０３）。これにより、第３接続器１１０ｃが、Ｕ相１０１ａ−Ｗ相１０１ｂ間に内部電力負荷１１１を接続することで、Ｕ相１０１ａの連系点１０３及びＷ相１０１ｂの連系点１０３に電流が流れる。
【０１９８】
このとき、運転制御器１１２は、第２電流センサ１０９ｂが検知する電流値を再び取得し（ステップＳ６０４）、ステップＳ６０２で取得した電流値からの変化量（本変形例では、第２電流センサ１０９ｂにおけるステップＳ６０２からの電流値の変化量をΔＩ６とする）を算出する（ステップＳ６０５）。
【０１９９】
次に、運転制御器１１２は、接続機構１１０に第３接続器１１０ｃをＯＦＦする指令を出力する（ステップＳ６０６）。これにより、第３接続器１１０ｃが、Ｕ相１０１ａ−Ｗ相１０１ｂ間と内部電力負荷１１１の接続を解除することで、Ｕ相１０１ａの連系点１０３及びＷ相１０１ｂの連系点１０３には電流が流れなくなる。
【０２００】
ここで、第３接続器１１０ｃをＯＮ／ＯＦＦした際に、内部電力負荷１１１が消費した電力分だけ、第２電流センサ１０９ｂが検知する電流値が変化しなかった場合、すなわち、ΔＩ６が、所定範囲（本変形例では、−１Ａ〜１Ａの範囲）内である場合（ステップＳ６０７でＹｅｓ）には、第２電流センサ１０９ｂがＯ相１０１ｃの連系点１０３に間違って取り付けられている、又は第２電流センサ１０９ｂ自体が異常であると判断することができる。
【０２０１】
このため、運転制御器１１２は、ΔＩ６が、所定の範囲内である場合（ステップＳ６０７でＹｅｓ）には、内蔵の不揮発性メモリ（記憶部）に、第１電流センサ１０９ａがＯ相１０１ｃに配置されているという異常情報を記憶させ（ステップＳ６０８）、ステップＳ６０９に進む。一方、運転制御器１１２は、ΔＩ６が、所定範囲外である場合（ステップＳ６０７でＮｏ）には、そのままステップＳ６０９に進む。
【０２０２】
ステップＳ６０９では、運転制御器１１２は、内蔵の不揮発性メモリに異常情報が記憶されているか否かを判断する。運転制御器１１２は、異常情報が記憶されている場合（ステップＳ６０９でＹｅｓ）には、表示器１１４にその異常情報を表示させる（ステップＳ６１０）。一方、運転制御器１１２は、異常情報が記憶されていない場合（ステップＳ６０９でＮｏ）には、表示器１１４に正常情報を表示させる（ステップＳ６１１）。そして、運転制御器１１２は、本プログラムを終了する。
【０２０３】
このようにして、本変形例の分散型発電システム１０２では、第２電流センサ１０９ｂの設置状態を確認することができる。具体的には、第２電流センサ１０９ｂがＯ相１０１ｃの連系点１０３に配置されていないことを確認することができる。
【０２０４】
上記説明から、当業者にとっては、本発明の多くの改良や他の実施形態が明らかである。したがって、上記説明は、例示としてのみ解釈されるべきであり、本発明を実行する最良の形態を当業者に教示する目的で提供されたものである。本発明の要旨を逸脱することなく、その構造及び／又は機能の詳細を実質的に変更できる。また、上記実施形態に開示されている複数の構成要素の適宜な組合せにより種々の発明を形成できる。
【産業上の利用可能性】
【０２０５】
本発明の分散型発電システムは、簡単な構成で、電流センサが設置されている電線及びその設置方向を判断することが可能となるため有用である。
【符号の説明】
【０２０６】
１  自家発電装置
２  分電盤
３  商用電力系統
４  分岐断路器
７  演算記憶部
８ａ  電力演算部
８ｂ  電力演算部
１０  表示器
１４  加算演算部
１５  不揮発性メモリ
１６  符号判定部
１０１  電力系統
１０１ａ  Ｕ相（第１の電線）
１０１ｂ  Ｗ相（第２の電線）
１０１ｃ  Ｏ相（第３の電線）
１０２  分散型発電システム
１０３  連系点
１０４  家庭内負荷（外部電力負荷）
１０５  発電装置
１０６  直流交流電力変換器
１０７  連系リレー
１０８  電圧検出器
１０９ａ  第１電流センサ
１０９ｂ  第２電流センサ
１１０  接続機構
１１０ａ  第１接続器
１１０ｂ  第２接続器
１１０ｃ  第３接続器
１１１  内部電力負荷
１１２  運転制御器（制御器）
１１３  操作器
１１４  表示器
【図１】
2011093109.tif 000003
【図２（Ａ）】
2011093109.tif 000004
【図２（Ｂ）】
2011093109.tif 000005
【図３（Ａ）】
2011093109.tif 000006
【図３（Ｂ）】
2011093109.tif 000007
【図３（Ｃ）】
2011093109.tif 000008
【図４（Ａ）】
2011093109.tif 000009
【図４（Ｂ）】
2011093109.tif 000010
【図４（Ｃ）】
2011093109.tif 000011
【図５（Ａ）】
2011093109.tif 000012
【図５（Ｂ）】
2011093109.tif 000013
【図５（Ｃ）】
2011093109.tif 000014
【図６】
2011093109.tif 000015
【図７】
2011093109.tif 000016
【図８】
2011093109.tif 000017
【図９】
2011093109.tif 000018
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
第１〜第３の電線のうち第３の電線が中性線である３線式の電力系統に連系する分散型発電システムであって、
前記分散型発電システムは、
発電装置と、
前記第１〜３の電線のうち、任意の２本の電線を内部電力負荷と接続するように構成されている接続機構と、
前記第１の電線の電流値を検出するように設定されている第１電流センサと、
前記第２の電線の電流値を検出するように設定されている第２電流センサと、
前記接続機構が前記任意の２本の電線を内部電力負荷と接続する前後における前記第１電流センサ及び前記第２電流センサが検知する電流値の変化量が、前記内部電力負荷の消費電力量に対応した変化量であるかどうかを判定することにより、前記第１電流センサ及び前記第２電流センサのそれぞれが前記第１〜第３の電線のいずれの電線に配置されているかと前記第１電流センサ及び前記第２電流センサの設置方向とを判断するように構成されている制御器と、を備え、
前記接続機構は、前記第１の電線と前記第３の電線を前記内部電力負荷に接続する第１接続器と、前記第２の電線と前記第３の電線を前記内部電力負荷に接続する第２接続器と、を有し、
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量である場合には、前記第１電流センサが前記第３の電線に配置されていると判断するように構成されている、分散型発電システム。
【請求項２】
（削除）
【請求項３】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量であり、かつ、前記第２接続器が前記第２の電線と前記第３の電線を前記内部電力負荷に接続する前後における前記第１電流センサが検出する電流値の変化量が、前記電力負荷の消費電力量に対応した変化量でない場合には、前記第１電流センサが前記第１の電線に配置されていると判断するように構成されている、請求項１に記載の分散型発電システム。
【請求項４】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第１の電線に正方向に配置されていると判断し、
その変化量が、負の方向である場合には、前記第１電流センサが前記第１の電線に逆方向に配置されていると判断するように構成されている、請求項３に記載の分散型発電システム。
【請求項５】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量でなく、かつ、前記第２接続器が前記第２の電線と前記第３の電線を前記内部電力負荷に接続する前後における前記第１電流センサが検出する電流値の変化量が、前記電力負荷の消費電力量に対応した変化量である場合には、前記第１電流センサが前記第２の電線に配置されていると判断するように構成されている、請求項１に記載の分散型発電システム。
【請求項６】
前記制御器は、前記第２接続器が前記第２の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第２の電線に正方向に配置されていると判断し、
その変化量が、負の方向である場合には、前記第１電流センサが前記第２の電線に逆方向に配置されていると判断するように構成されている、請求項５に記載の分散型発電システム。
【請求項７】
（削除）
【請求項８】
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量でない場合には、前記第１電流センサが異常であると判断するように構成されている、請求項１に記載の分散型発電システム。
【請求項９】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量でなく、かつ、前記第２接続器が前記第２の電線と前記第３の電線を前記内部電力負荷に接続する前後における前記第２電流センサが検出する電流値の変化量が、前記電力負荷の消費電力量に対応した変化量である場合には、前記第２電流センサが前記第２の電線に配置されていると判断するように構成されている、請求項１に記載の分散型発電システム。
【請求項１０】
前記制御器は、前記第２接続器が前記第２の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第２の電線に正方向に配置されていると判断し、
その変化量が、負の方向である場合には、前記第２電流センサが前記第２の電線に逆方向に配置されていると判断するように構成されている、請求項９に記載の分散型発電システム。
【請求項１１】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量であり、かつ、前記第２接続器が前記第２の電線と前記第３の電線を前記内部電力負荷に接続する前後における前記第２電流センサが検出する電流値の変化量が、前記電力負荷の消費電力量に対応した変化量でない場合には、前記第２電流センサが前記第１の電線に配置されていると判断するように構成されている、請求項１に記載の分散型発電システム。
【請求項１２】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第１の電線に正方向に配置されていると判断し、
その変化量が、負の方向である場合には、前記第２電流センサが前記第１の電線に逆方向に配置されていると判断するように構成されている、請求項１１に記載の分散型発電システム。
【請求項１３】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量である場合には、前記第２電流センサが前記第３の電線に配置されていると判断するように構成されている
、請求項１に記載の分散型発電システム。
【請求項１４】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量でない場合には、前記第２電流センサが異常であると判断するように構成されている、請求項１に記載の分散型発電システム。
【請求項１５】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第１電流センサが検出する電流値の変化量が前記内部電力負荷の消費電力量に対応した変化量でない場合に、前記第１電流センサが前記第３の電線に配置されているか、又は前記第１電流センサ自体が異常であると判断するように構成されている、請求項１に記載の分散型発電システム。
【請求項１６】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第２電流センサが検出する電流値の変化量が前記内部量力負荷の消費電力量に対応した変化量でない場合に、前記第２電流センサが前記第３の電線に配置されているか、又は前記第２電流センサ自体が異常であると判断するように構成されている、請求項１に記載の分散型発電システム。
【請求項１７】
前記制御器を操作するための操作器をさらに備え、
前記制御器は、前記操作器の操作指令により、前記第１電流センサ及び前記第２電流センサが配置されている電線及びその設置方向の判断を開始するように構成されている、請求項１に記載の分散型発電システム。
【請求項１８】
前記制御器による前記第１電流センサ及び第２電流センサの判定の結果を表示する表示器をさらに備えている、請求項１に記載の分散型発電システム。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
第１〜第３の電線のうち第３の電線が中性線である３線式の電力系統に連系する分散型発電システムであって、
前記分散型発電システムは、
発電装置と、
前記第１〜３の電線のうち、任意の２本の電線を内部電力負荷と接続するように構成されている接続機構と、
前記第１の電線の電流値を検出するように設定されている第１電流センサと、
前記第２の電線の電流値を検出するように設定されている第２電流センサと、
前記接続機構が前記任意の２本の電線を内部電力負荷と接続する前後における前記第１電流センサ及び前記第２電流センサが検知する電流値の変化量が、前記内部電力負荷の消費電力量に対応した変化量であるかどうかを判定することにより、前記第１電流センサ及び前記第２電流センサのそれぞれが前記第１〜第３の電線のいずれの電線に配置されているかと前記第１電流センサ及び前記第２電流センサの設置方向とを判断するように構成されている制御器と、を備え、
前記接続機構は、前記第１の電線と前記第３の電線を前記内部電力負荷に接続する第１接続器と、前記第２の電線と前記第３の電線を前記内部電力負荷に接続する第２接続器と、を有し、
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量である場合には、前記第１電流センサが前記第３の電線に配置されていると判断するように構成されている、分散型発電システム。
【請求項２】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量であり、かつ、前記第２接続器が前記第２の電線と前記第３の電線を前記内部電力負荷に接続する前後における前記第１電流センサが検出する電流値の変化量が、前記電力負荷の消費電力量に対応した変化量でない場合には、前記第１電流センサが前記第１の電線に配置されていると判断するように構成されている、請求項１に記載の分散型発電システム。
【請求項３】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第１の電線に正方向に配置されていると判断し、
その変化量が、負の方向である場合には、前記第１電流センサが前記第１の電線に逆方向に配置されていると判断するように構成されている、請求項２に記載の分散型発電システム。
【請求項４】
前記制御器は、前記第１接続器が前記第１の電線と前記第３の電線を前記内部電力負荷に接続する前後における前記第１電流センサが検出する電流値の変化量が、前記電力負荷の消費電力量に対応した変化量でなく、かつ、前記第２接続器が前記第２の電線と前記第３の電線を前記内部電力負荷に接続する前後における前記第１電流センサが検出する電流値の変化量が、前記電力負荷の消費電力量に対応した変化量である場合には、前記第１電流センサが前記第２の電線に配置されていると判断するように構成されている、請求項１に記載の分散型発電システム。
【請求項５】
前記制御器は、前記第２接続器が前記第２の電線と前記第３の電線を前記内部電力負荷に接続する前後における前記第１電流センサが検出する電流値の変化量が、前記電力負荷の消費電力量に対応した変化量である場合であって、
その変化量が、正の方向である場合には、前記第１電流センサが前記第２の電線に正方向に配置されていると判断し、
その変化量が、負の方向である場合には、前記第１電流センサが前記第２の電線に逆方向に配置されていると判断するように構成されている、請求項４に記載の分散型発電システム。
【請求項６】
前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量でない場合には、前記第１電流センサが異常であると判断するように構成されている、請求項１に記載の分散型発電システム。
【請求項７】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量でなく、かつ、前記第２接続器が前記第２の電線と前記第３の電線を前記内部電力負荷に接続する前後における前記第２電流センサが検出する電流値の変化量が、前記電力負荷の消費電力量に対応した変化量である場合には、前記第２電流センサが前記第２の電線に配置されていると判断するように構成されている、請求項１に記載の分散型発電システム。
【請求項８】
前記制御器は、前記第２接続器が前記第２の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第２の電線に正方向に配置されていると判断し、
その変化量が、負の方向である場合には、前記第２電流センサが前記第２の電線に逆方向に配置されていると判断するように構成されている、請求項７に記載の分散型発電システム。
【請求項９】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量であり、かつ、前記第２接続器が前記第２の電線と前記第３の電線を前記内部電力負荷に接続する前後における前記第２電流センサが検出する電流値の変化量が、前記電力負荷の消費電力量に対応した変化量でない場合には、前記第２電流センサが前記第１の電線に配置されていると判断するように構成されている、請求項１に記載の分散型発電システム。
【請求項１０】
前記制御器は、前記第１接続器が前記第１の電線と前記第３の電線を前記内部電力負荷に接続する前後における前記第２電流センサが検出する電流値の変化量が、前記電力負荷の消費電力量に対応した変化量である場合であって、
その変化量が、正の方向である場合には、前記第２電流センサが前記第１の電線に正方向に配置されていると判断し、
その変化量が、負の方向である場合には、前記第２電流センサが前記第１の電線に逆方向に配置されていると判断するように構成されている、請求項９に記載の分散型発電システム。
【請求項１１】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量である場合には、前記第２電流センサが前記第３の電線に配置されていると判断するように構成されている、請求項１に記載の分散型発電システム。
【請求項１２】
前記制御器は、前記第１接続器が前記第１の電線と前記第３の電線を前記内部電力負荷に接続する前後における前記第２電流センサが検出する電流値の変化量と、前記第２接続器が前記第２の電線と前記第３の電線を前記内部電力負荷に接続する前後における前記第２電流センサが検出する電流値の変化量と、の両方の変化量が、前記電力負荷の消費電力量に対応した変化量でない場合には、前記第２電流センサが異常であると判断するように構成されている、請求項１に記載の分散型発電システム。
【請求項１３】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第１電流センサが検出する電流値の変化量が前記内部電力負荷の消費電力量に対応した変化量でない場合に、前記第１電流センサが前記第３の電線に配置されているか、又は前記第１電流センサ自体が異常であると判断するように構成されている、請求項１に記載の分散型発電システム。
【請求項１４】
前記接続機構は、前記第１の電線と前記第２の電線を前記内部電力負荷に接続する第３接続器を有しており、
前記制御器は、前記第３接続器が前記第１の電線と前記第２の電線を前記内部電力負荷と接続する前後における前記第２電流センサが検出する電流値の変化量が前記内部電力負荷の消費電力量に対応した変化量でない場合に、前記第２電流センサが前記第３の電線に配置されているか、又は前記第２電流センサ自体が異常であると判断するように構成されている、請求項１に記載の分散型発電システム。
【請求項１５】
前記制御器を操作するための操作器をさらに備え、
前記制御器は、前記操作器の操作指令により、前記第１電流センサ及び前記第２電流センサが配置されている電線及びその設置方向の判断を開始するように構成されている、請求項１に記載の分散型発電システム。
【請求項１６】
前記制御器による前記第１電流センサ及び第２電流センサの判定の結果を表示する表示器をさらに備えている、請求項１に記載の分散型発電システム。
【手続補正２】
【補正対象書類名】明細書
【補正対象項目名】００１０
【補正方法】変更
【補正の内容】
【００１０】
上記目的を達成するために、本発明の分散型発電システムは、第１〜第３の電線のうち第３の電線が中性線である３線式の電力系統に連系する分散型発電システムであって、前記分散型発電システムは、発電装置と、前記第１〜３の電線のうち、任意の２本の電線を内部電力負荷と接続するように構成されている接続機構と、前記第１の電線の電流値を検出するように設定されている第１電流センサと、前記第２の電線の電流値を検出するように設定されている第２電流センサと、前記接続機構が前記任意の２本の電線を内部電力負荷と接続する前後における前記第１電流センサ及び前記第２電流センサが検知する電流値の変化量が、前記内部電力負荷の消費電力量に対応した変化量であるかどうかを判定することにより、前記第１電流センサ及び前記第２電流センサのそれぞれが前記第１〜第３の電線のいずれの電線に配置されているかと前記第１電流センサ及び前記第２電流センサの設置方向とを判断するように構成されている制御器と、を備え、前記接続機構は、前記第１の電線と前記第３の電線を前記内部電力負荷に接続する第１接続器と、前記第２の電線と前記第３の電線を前記内部電力負荷に接続する第２接続器と、を有し、前記制御器は、前記第１接続器が前記第１の電線と前記第３の電線を前記内部電力負荷に接続する前後における前記第１電流センサが検出する電流値の変化量と、前記第２接続器が前記第２の電線と前記第３の電線を前記内部電力負荷に接続する前後における前記第１電流センサが検出する電流値の変化量と、の両方の変化量が、前記電力負荷の消費電力量に対応した変化量である場合には、前記第１電流センサが前記第３の電線に配置されていると判断するように構成されている。
【手続補正３】
【補正対象書類名】図面
【補正対象項目名】図１
【補正方法】変更
【補正の内容】
【図１】
2011093109.tif 000019
【国際調査報告】
2011093109.tif 000020
2011093109.tif 000021